(57)【特許請求の範囲】
【請求項１】
冷媒を圧縮する圧縮機と、
凝縮器又は蒸発器として機能する複数の利用側熱交換器と、
前記利用側熱交換器に対応して設けられ、前記利用側熱交換器に流れる冷媒の流量を調整する複数の膨張装置と、
凝縮器又は蒸発器として機能する熱源側熱交換器と、
前記複数の膨張装置の開度、及び、冷媒の凝縮又は蒸発の飽和温度が所定の飽和温度目標値となるように前記熱源側熱交換器の熱交換容量を制御する制御装置と、を備え、
前記制御装置は、
前記複数の利用側熱交換器のうちの一部が凝縮器、その他が蒸発器となる運転中、
前記複数の利用側熱交換器のうち、前記熱源側熱交換器と同じ運転モードで運転している前記利用側熱交換器の一部である第１の利用側熱交換器から熱交換能力を増大させる要求があると、
前記熱源側熱交換器の飽和温度目標値の値を変更することによって、前記熱源側熱交換器の熱交換容量を小さくするとともに、
前記第１の利用側熱交換器以外の前記利用側熱交換器であって、前記第１の利用側熱交換器と同じ運転モードで運転している前記利用側熱交換器のうちの少なくとも１つである第２の利用側熱交換器に対応する前記膨張装置の開度を制御して、前記第２の利用側熱交換器に流れる冷媒の流量を減少させ、
前記利用側熱交換器の一部が、前記熱源側熱交換器から供給された冷媒と該冷媒とは異なる熱媒体とが熱交換する熱媒体間熱交換器であり、
前記利用側熱交換器の他の一部が、前記熱源側熱交換器から供給された冷媒と室内の空気とが熱交換する直膨式熱交換器であって、
前記熱媒体間熱交換器の熱媒体側流路に接続され、熱媒体と室内の空気とが熱交換する少なくとも１つの間接式熱交換器を備え、
前記第１の利用側熱交換器が前記熱媒体間熱交換器であり、
前記第１の利用側熱交換器の熱交換能力を増大させる際に冷媒流量を減少させる前記第２の利用側熱交換器が前記直膨式熱交換器である
空気調和装置。
【請求項２】
冷媒を圧縮する圧縮機と、
凝縮器又は蒸発器として機能する複数の利用側熱交換器と、
前記利用側熱交換器に対応して設けられ、前記利用側熱交換器に流れる冷媒の流量を調整する複数の膨張装置と、
凝縮器又は蒸発器として機能する熱源側熱交換器と、
前記複数の膨張装置の開度、及び、冷媒の凝縮又は蒸発の飽和温度が所定の飽和温度目標値となるように前記熱源側熱交換器の熱交換容量を制御する制御装置と、を備え、
前記制御装置は、
前記複数の利用側熱交換器のうちの一部が凝縮器、その他が蒸発器となる運転中、
前記複数の利用側熱交換器のうち、前記熱源側熱交換器と同じ運転モードで運転している前記利用側熱交換器の一部である第１の利用側熱交換器から熱交換能力を増大させる要求があると、
前記熱源側熱交換器の飽和温度目標値の値を変更することによって、前記熱源側熱交換器の熱交換容量を小さくするとともに、
前記第１の利用側熱交換器以外の前記利用側熱交換器であって、前記第１の利用側熱交換器と同じ運転モードで運転している前記利用側熱交換器のうちの少なくとも１つである第２の利用側熱交換器に対応する前記膨張装置の開度を制御して、前記第２の利用側熱交換器に流れる冷媒の流量を減少させ、
前記利用側熱交換器の一部が、前記熱源側熱交換器から供給された冷媒と該冷媒とは異なる熱媒体とが熱交換する熱媒体間熱交換器であり、
前記利用側熱交換器の他の一部が、前記熱源側熱交換器から供給された冷媒と室内の空気とが熱交換する直膨式熱交換器であって、
前記熱媒体間熱交換器の熱媒体側流路に接続され、熱媒体と室内の空気とが熱交換する少なくとも１つの間接式熱交換器を備え、
前記熱媒体間熱交換器のうちの一部が凝縮器、その他が蒸発器となる状態において、
前記第１の利用側熱交換器が前記熱媒体間熱交換器であり、
前記第１の利用側熱交換器の熱交換能力を増大させる際に冷媒流量を減少させる前記第２の利用側熱交換器が前記直膨式熱交換器である
空気調和装置。
【請求項３】
前記制御装置は、
前記熱源側熱交換器の熱交換容量を小さくした後も、前記熱源側熱交換器の熱交換容量が下限に達していないと判断すると、
前記第１の利用側熱交換器に対応する前記膨張装置の開度を制御して、当該第１の利用側熱交換器の冷媒流量を増加させる
請求項１又は２に記載の空気調和装置。
【請求項４】
前記制御装置は、
前記熱源側熱交換器、前記第１の利用側熱交換器及び前記第２の利用側熱交換器を、いずれも凝縮器として機能させ、前記熱源側熱交換器、前記第１の利用側熱交換器及び前記第２の利用側熱交換器を流れる冷媒の凝縮飽和温度が所定の凝縮飽和温度目標値となるように前記熱源側熱交換器の熱交換容量を制御している状態において、
前記第１の利用側熱交換器の熱交換能力を増大させる際、
前記凝縮飽和温度目標値の値を高くすることによって前記熱源側熱交換器の熱交換容量を小さくする
請求項１〜３のいずれか一項に記載の空気調和装置。
【請求項５】
前記制御装置は、
前記熱源側熱交換器、前記第１の利用側熱交換器及び前記第２の利用側熱交換器を、いずれも蒸発器として機能させ、前記熱源側熱交換器、前記第１の利用側熱交換器及び前記第２の利用側熱交換器を流れる冷媒の蒸発飽和温度が所定の蒸発飽和温度目標値となるように前記熱源側熱交換器の熱交換容量を制御している状態において、
前記第１の利用側熱交換器の熱交換能力を増大させる際、
前記蒸発飽和温度目標値の値を低くすることによって前記熱源側熱交換器の熱交換容量を小さくする
請求項１〜３のいずれか一項に記載の空気調和装置。
【請求項６】
前記制御装置は、
凝縮器として機能する前記利用側熱交換器に流れる冷媒の過冷却度が所定の目標過冷却度となるように、当該利用側熱交換器に対応する前記膨張装置の開度を制御しており、
前記第１の利用側熱交換器の熱交換能力を増大させる際、
前記目標過冷却度を大きくすることによって、前記第２の利用側熱交換器の流量を減少させる
請求項４に記載の空気調和装置。
【請求項７】
前記制御装置は、
蒸発器として機能する前記利用側熱交換器に流れる冷媒の過熱度が所定の目標過熱度となるように、当該利用側熱交換器に対応する前記膨張装置の開度を制御しており、
前記第１の利用側熱交換器の熱交換能力を増大させる際、
前記目標過熱度を大きくすることによって、前記第２の利用側熱交換器の流量を減少させる
請求項５に記載の空気調和装置。
【請求項８】
前記熱源側熱交換器に空気を搬送する送風装置を備え、
前記制御装置は、
前記送風装置の回転数によって、前記熱源側熱交換器の熱交換容量を制御する
請求項１〜７のいずれか一項に記載の空気調和装置。
【請求項９】
前記熱源側熱交換器の冷媒伝熱管の一部またはすべてを閉止する熱交換器開閉装置と、  前記熱源側熱交換器に流れる冷媒の一部またはすべてをバイパスする熱交換器バイパス装置と、を備え、
前記制御装置は、
前記熱交換器開閉装置及び前記熱交換器バイパス装置の開閉によって、前記熱源側熱交換器の熱交換容量を制御する
請求項１〜８のいずれか一項に記載の空気調和装置。
【請求項１０】
前記熱源側熱交換器が水またはブラインを熱源としているものであるとき、
前記制御装置は、
前記水またはブラインの流量調整によって、前記熱源側熱交換器の熱交換容量を制御する
請求項１〜７のいずれか一項に記載の空気調和装置。
【請求項１１】
前記第２の利用側熱交換器に空気を搬送する送風装置を備え、
前記制御装置は、
前記第１の利用側熱交換器の熱交換能力を増大させる際、
前記第２の利用側熱交換器の送風装置の回転数を小さくして、該第２の利用側熱交換器の熱交換容量を減少させる
請求項１または２に記載の空気調和装置。
【請求項１２】
前記制御装置は、
前記蒸発器として機能する利用側熱交換器を流れる冷媒の蒸発飽和温度が所定の蒸発飽和温度目標値となるように前記圧縮機の運転容量を制御するものであって、
前記蒸発器として機能する利用側熱交換器の一部である第３の利用側熱交換器から熱交換能力を増大させる要求があると、
前記蒸発飽和温度目標値の値を低くすることによって前記圧縮機の運転容量を大きくするとともに、
前記第３の利用側熱交換器以外の前記利用側熱交換器であって、蒸発器として機能する前記利用側熱交換器のうちの少なくとも１つである第４の利用側熱交換器に対応する前記膨張装置の開度を制御して、前記第４の利用側熱交換器に流れる冷媒の流量を減少させる
請求項４に記載の空気調和装置。
【請求項１３】
前記制御装置は、
前記凝縮器として機能する利用側熱交換器を流れる冷媒の凝縮飽和温度が所定の凝縮飽和温度目標値となるように前記圧縮機の運転容量を制御するものであって、
前記凝縮器として機能する利用側熱交換器の一部である第３の利用側熱交換器から熱交換能力を増大させる要求があると、
前記凝縮飽和温度目標値の値を高くすることによって前記圧縮機の運転容量を大きくするとともに、
前記第３の利用側熱交換器以外の前記利用側熱交換器であって、凝縮器として機能する前記利用側熱交換器のうちの少なくとも１つである第４の利用側熱交換器に対応する前記膨張装置の開度を制御して、前記第４の利用側熱交換器に流れる冷媒の流量を減少させる
請求項５に記載の空気調和装置。
【発明の詳細な説明】
【技術分野】
【０００１】  本発明は、例えばビル用マルチエアコンなどに用いる多室形空気調和装置に関するものである。
【背景技術】
【０００２】  一般的に用いられる多室形ヒートポンプ式の冷凍サイクルを備える空気調和装置は、室外ユニットとして圧縮機、四方弁、室外熱交換器を備え、複数の室内ユニットとして、それぞれに膨張弁、室内熱交換器（利用側熱交換器）を備えている。これら構成部品は順次冷媒管を介して連通され、ヒートポンプ式の冷凍サイクルが構成される。すなわち、室内ユニットを並列構成としており、冷房運転と暖房運転との切換えで、所定の冷凍サイクルを構成する。また、冷房運転と暖房運転とが同時に行える多室形空気調和装置がある。【０００３】  このような多室形空気調和装置では、暖房運転であれば室内熱交換器の凝縮温度を目標値にして、圧縮機の運転容量を調整することで、冷凍サイクル全体の冷媒流量を調整している。また、各室内ユニットでは、室内熱交換器の過冷却度を目標値にして、膨張弁の開度を調整することで、室内熱交換器の冷媒流量を調整している。すなわち、室内熱交換器は暖房運転であればある程度決められた範囲で凝縮圧力と過冷却度を調整することで、室内ユニットの負荷に対して所定の暖房能力を発揮するように容量が設計されている。冷房運転であればある程度決められた範囲で蒸発圧力と過熱度を調整している。【０００４】  また、冷暖同時運転が可能な多室形空気調和装置において冷暖同時運転を行う場合、一般的に、室内ユニットの冷房運転の負荷と暖房運転の負荷との負荷比率において、冷房運転の負荷が大きい冷房主体運転の際は、室外熱交換器が凝縮器となり、暖房運転する室内ユニットの室内熱交換器の凝縮温度を目標値にして、室外熱交換器の放熱量を調整している。【０００５】  また、複数の各室内機の運転モード及びその設定温度と各室内温度との差を検知するとともに、その情報により空気調和装置全体としての運転状態を判定し、圧縮機の容量と室外熱交換器の熱交換量を制御する制御器を設けた空気調和装置が提案されている（例えば、特許文献１参照）。この空気調和装置は、冷房主体運転モードであるとき、暖房室内機の設定温度と吸込空気温度の差温であるΔＴｊの最大値（ＭＡＸΔＴｊＨ）が、制御目標範囲の上限値αより大きいときは、暖房室内機の中で能力不足のユニットがあると判断して室外ファンの回転数の現在の指令値ｆｆａｎからΔｆｆａｎを差し引いた値を新しい指令値ｆｆａｎ＊として室外ファンへ出力する。すなわち、暖房室内機のうち最も負荷が大きい室内機のΔＴｊが上限値αより大きいときは、室外ファンの回転数を低くしている。【０００６】  また、複数の室内ユニットが同じ室内に配備されている空気調和装置においては、検知された冷媒回路の空調負荷が冷媒回路について予め設定されている定格暖房能力より大きい場合、いずれかの室内ユニットについて、空調能力セーブ運転を実施する空気調和装置が提案されている（例えば、特許文献２参照）。この空気調和装置は、暖房運転時に圧縮機の容量が最大容量に達しているか否かを判断する。また、最大値に達していると判断した場合、高圧飽和温度の目標値から演算高圧飽和温度を引いた値に基づいて、暖房負荷に対するシステム全体の能力の過不足を判断する。そして、システム全体の能力が不足気味の場合、優先順位の低い順番に過冷却度（サブクー��）目標値を大きい値に設定変更し、暖房能力セーブ運転を行っている。冷房運転時は過熱度（スーパーヒート）目標値を大きい値に設定変更している。
【先行技術文献】
【特許文献】
【０００７】
【特許文献１】特開平２−２１７７３８号公報（たとえば、第６ページ）
【特許文献２】特開２００７−２７１１１２号公報（たとえば、第５、６ページ）
【発明の概要】
【発明が解決しようとする課題】
【０００８】  特許文献１のような従来の空気調和装置では、暖房室内機のうち最も負荷の大きい室内ユニットに対して室外熱交換器の熱交換量を制御している。そのため、暖房室内機全体の能力が増加して、負荷の小さい暖房室内機の能力も増加するという課題があった。【０００９】  特許文献１のような従来の空気調和装置では、室内ユニットの凝縮温度（高圧飽和温度）が目標値よりも低いときに、優先順位の低い室内ユニットの冷媒流量を小さくして、凝縮温度を目標値に近づけるような制御を行っている。これは、優先順位の高い室内機が設計された容量以内の能力を発揮するための能力制御である。すなわち、この能力制御は、優先順位の高い室内ユニットが当該制御前に設定されていた空調能力を発揮できるようになるものの、設計された容量以上の能力を発揮できるようなものではなかった。【００１０】  また、従来の空気調和装置では、優先順位の低い室内ユニットの冷媒流量を制御する減圧装置を調整して、優先順位の高い室内ユニットの暖房能力を大きくしているが、減圧装置を調整するのみでは室内ユニットの暖房能力を、設計された容量以上の能力にすることができないという課題があった。さらに、優先順位の高い室内ユニットの冷媒流量を制御する減圧装置を調整して、優先順位の高い室内ユニットの冷媒流量を大きくするのみで暖房能力を設計された容量以上の能力にしようとすると、室内ユニットの冷媒の過冷却度が小さくなり、冷媒流量制御が困難になるという課題があった。【００１１】  すなわち、冷暖同時運転が可能な多室形空気調和装置においては、減圧装置によって冷媒流量を増加させる制御だけでは、優先順位の高い室内ユニットの暖房能力を設計された容量以上の能力にすることができない。しかも、このような多室形空気調和装置では、減圧装置の制御によって、優先順位の高い室内ユニットの暖房能力を設計された容量以上の能力にしようとすると、冷媒流量制御が困難になるという別の課題が生じてしまう。【００１２】  また、例えば冷媒と水などの熱媒体との間で熱交換を行い、熱媒体を加熱又は冷却する複数の熱媒体間熱交換器と、熱媒体を循環させて室内空間を冷暖房する間接式室内熱交換器と、を備えた空気調和装置も従来より提案されている。このような空気調和装置において、熱媒体間熱交換器の一部を凝縮器、残りの一部を蒸発器とした冷温水混在モードになると、間接式室内ユニットの暖房負荷が十分に大きい場合、凝縮器として機能する熱媒体間熱交換器の伝熱面積が暖房負荷に対して小さいものになっている。そのため、凝縮温度の調整を膨張装置で調整するのみでは、暖房負荷に対して熱媒体を十分に加熱できない。また、暖房に係る熱媒体を送出するポンプの熱媒体送出流量が不足して、間接式室内ユニットの暖房能力が低下するという課題があった。【００１３】  本発明は、上記のような課題の少なくとも１つを解決するためになされたものであり、一部の利用側熱交換器から能力増大要求があったとき、能力増大要求があった利用側熱交換器の能力を設計容量より大きくすることが可能な空気調和装置を提供することを目的としている。
【課題を解決するための手段】
【００１４】
本発明に係る空気調和装置は、冷媒を圧縮する圧縮機と、凝縮器又は蒸発器として機能する複数の利用側熱交換器と、前記利用側熱交換器に対応して設けられ、前記利用側熱交換器に流れる冷媒の流量を調整する複数の膨張装置と、凝縮器又は蒸発器として機能する熱源側熱交換器と、前記複数の膨張装置の開度、及び、冷媒の凝縮又は蒸発の飽和温度が所定の飽和温度目標値となるように前記熱源側熱交換器の熱交換容量を制御する制御装置と、を備え、前記制御装置は、前記複数の利用側熱交換器のうちの一部が凝縮器、その他が蒸発器となる運転中、前記複数の利用側熱交換器のうち、前記熱源側熱交換器と同じ運転モードで運転している前記利用側熱交換器の一部である第１の利用側熱交換器から熱交換能力を増大させる要求があると、前記熱源側熱交換器の飽和温度目標値の値を変更することによって、前記熱源側熱交換器の熱交換容量を小さくするとともに、前記第１の利用側熱交換器以外の前記利用側熱交換器であって、前記第１の利用側熱交換器と同じ運転モードで運転している前記利用側熱交換器のうちの少なくとも１つである第２の利用側熱交換器に対応する前記膨張装置の開度を制御して、前記第２の利用側熱交換器に流れる冷媒の流量を減少させ、前記利用側熱交換器の一部が、前記熱源側熱交換器から供給された冷媒と該冷媒とは異なる熱媒体とが熱交換する熱媒体間熱交換器であり、前記利用側熱交換器の他の一部が、前記熱源側熱交換器から供給された冷媒と室内の空気とが熱交換する直膨式熱交換器であって、前記熱媒体間熱交換器の熱媒体側流路に接続され、熱媒体と室内の空気とが熱交換する少なくとも１つの間接式熱交換器を備え、前記第１の利用側熱交換器が前記熱媒体間熱交換器であり、前記第１の利用側熱交換器の熱交換能力を増大させる際に冷媒流量を減少させる前記第２の利用側熱交換器が前記直膨式熱交換器である。
【発明の効果】
【００１５】  本発明に係る空気調和装置は、冷暖同時運転時において第１の利用側熱交換器から能力増大要求があるときに、熱源側熱交換器の熱交換容量を通常より小さくするとともに、第２の利用側熱交換器においては冷媒流量を減少させるので、第１の利用側熱交換器の能力をより効果的に大きくすることができる。したがって、本発明に係る空気調和装置によれば、第１の利用側熱交換器の能力を設計容量よりも大きくするとともに、第２の利用側熱交換器の能力が過大となるのを抑制することができる。
【図面の簡単な説明】
【００１６】
【図１】本発明の実施の形態１に係る空気調和装置の冷媒回路図である。
【図２】本発明の実施の形態１に係る空気調和装置の制御回路図である。
【図３】本発明の実施の形態１に係る空気調和装置の室外熱交換器の構成の一例を示す部分回路図である。
【図４】本発明の実施の形態１に係る空気調和装置の室外熱交換器の構成の他の一例と示す部分回路図である。
【図５】本発明の実施の形態１に係る空気調和装置の暖房主体運転を示す冷媒回路図である。
【図６】本発明の実施の形態１に係る空気調和装置の冷房主体運転を示す冷媒回路図である。
【図７】本発明の実施の形態１に係る空気調和装置の暖房能力増大制御を示すフローチャートである。
【図８】本発明の実施の形態２に係る空気調和装置の冷媒回路図である。
【図９】本発明の実施の形態２に係る空気調和装置の制御回路図である。
【図１０】本発明の実施の形態２に係る空気調和装置の冷温水混在モードを示す冷媒回路図である。
【図１１】本発明の実施の形態２に係る空気調和装置の能力増大制御を示すフローチャートである。
【発明を実施するための形態】
【００１７】実施の形態１．  図１は、本発明の実施の形態１に係る空気調和装置の冷媒回路図である。なお、以下の説明では、同一構成を区別して記載する必要がある場合等、符号の末尾にアルファベットを付して記載することがある。本実施の形態１に係る空気調和装置は、各室内ユニットの運転モードを個別に選択、つまり冷暖同時運転が可能なものである。なお、図１では、実線矢印で全暖房運転時の冷媒の流れを、破線矢印で全冷房運転時の冷媒の流れを、それぞれ示している。
【００１８】  本実施の形態１に係る空気調和装置は、冷暖同時運転時において、室外熱交換器１３の熱交換容量を小さくして、室外熱交換器１３と同じ運転モードの室内熱交換器３１の一部の能力を増大、同じモードのその他の室内熱交換器３１に対しては膨張弁３２を調整して冷媒流量を減少させて、能力が過剰になるのを抑制するようにしたものである。
【００１９】  本実施の形態１に係る空気調和装置は、圧縮機１１、冷媒流路切替装置である四方弁１２、熱源側熱交換器である室外熱交換器１３、アキュムレータ１４、逆止弁１５，５８，５９、気液分離器５１、内部熱交換器５２，５３、利用側熱交換器である複数の室内熱交換器３１、各室内熱交換器３１に対応して設けられた複数の膨張弁３２（膨張装置）、膨張弁５４，５５、開閉装置である電磁弁５６，５７を配管接続して冷凍サイクルを構成している。
【００２０】  本実施の形態１に係る空気調和装置では、圧縮機１１、四方弁１２、室外熱交換器１３、アキュムレータ１４、逆止弁１５ａ，１５ｂ，１５ｃ，１５ｄを、熱源機である室外ユニット１の中に収容している。また、室外ユニット１には、室外ユニット１の制御と空気調和装置全体の制御を統制する室外コントローラ２０２も収容されている。本実施の形態１に係る空気調和装置では、室内熱交換器３１、膨張弁３２を、室内ユニット２に収容している。また、本実施の形態１に係る空気調和装置は、室外ユニット１と室内ユニット２との間に介在する中継機３を備えている。
【００２１】  この中継機３には、気液分離器５１、内部熱交換器５２，５３、膨張弁５４，５５、開閉装置である電磁弁５６，５７、逆止弁５８，５９、圧力センサ７６，７７、中継機コントローラ２０６等が収容されている。そして、中継機３は、冷媒配管である高圧管６と低圧管７とで、室外ユニット１と接続されている。また、各室内ユニット２は、冷媒配管であるガス枝管４１と液枝管４２とで、中継機３に並列接続されている。この室内ユニット２には、室内ユニット２を制御する室内コントローラ２０３が収容されている。
【００２２】  なお、室内ユニット２、中継機３の台数は任意である。また、室外コントローラ２０２、室内コントローラ２０３、中継機コントローラ２０６については、図２で説明する。
【００２３】  圧縮機１１は、吸入した冷媒を加圧して吐出する（送り出す）ものである。冷媒流路切替装置となる四方弁１２は、圧縮機１１の吐出側に設けられるものであり、冷媒の経路を切り替えるものである。なお、四方弁１２は、後述する室外コントローラ２０２の指示に基づいて、冷暖房に係る運転モードに対応した弁の切り替えを行う。本実施の形態１では、全冷房運転時、冷房主体運転時と、全暖房運転時、暖房主体運転時とによって冷媒経路が切り替わるようにする。
【００２４】  室外熱交換器１３は、例えば、冷媒を通過させる伝熱管及びその伝熱管を流れる冷媒と外気との間の伝熱面積を大きくするためのフィン（図示せず）と空気を搬送するファン１０１（送風装置）を有し、冷媒と空気（外気）との熱交換を行うものである。例えば、室外熱交換器１３は、全暖房運転時、暖房主体運転時においては蒸発器として機能し、冷媒を蒸発させてガス（気体）化させる。一方、室外熱交換器１３は、全冷房運転時、冷房主体運転時においては凝縮器又はガスクーラ（以下では凝縮器とする）として機能し、冷媒を凝縮させて液化させる。場合によっては、完全にガス化、液化させず、液体とガスとの二相混合（気液二相冷媒）の状態にすることもある。室外熱交換器１３の構成例については図３、図４で説明する。
【００２５】  室内熱交換器３１は、例えば、冷媒を通過させる伝熱管及びその伝熱管を流れる冷媒と外気との間の伝熱面積を大きくするためのフィン（図示せず）と空気を搬送するファン（図示せず）を有し、冷媒と空気（室内）との熱交換を行うものである。例えば、室内熱交換器３１は、暖房運転時においては凝縮器またはガスクーラ（以下では凝縮器とする）として機能し、冷媒を凝縮させて液化する。一方、室内熱交換器３１は、冷房運転時においては蒸発器として機能し、冷媒を蒸発させてガス（気体）化させる。場合によっては、完全にガス化、液化させず、液体とガスとの二相混合（気液二相冷媒）の状態にすることもある。
【００２６】  例えば電子式膨張弁等の膨張弁３２は、冷媒流量を調整することにより冷媒を減圧させる。アキュムレータ１４は冷凍サイクル回路中の過剰な冷媒を貯留したり、圧縮機１１に冷媒液が多量に戻って圧縮機１１が破損したりするのを防止する働きがある。
【００２７】  また、実施の形態１に係る空気調和装置には、各種の圧力センサや温度センサが設けられている。  冷媒圧力検出手段である圧力センサ７１は、圧縮機１１の吐出側と四方弁１２の間に設置され吐出圧力（圧縮機１１が吐出する冷媒の圧力）を検知する。圧力センサ７２は、アキュムレータ１４と圧縮機１１の間に設置され吸入圧力（圧縮機１１が吸入する冷媒の圧力）を検知する。圧力センサ７６は、高圧（膨張弁５４の入口側の圧力）を検知する。圧力センサ７７は、中間圧（膨張弁５４の出口側の圧力、つまり高圧と低圧の間の圧力）を検知する。ただし、圧力センサ７１、圧力センサ７２、圧力センサ７６、圧力センサ７７は、それぞれ圧縮機１１の吐出圧力、圧縮機１１の吸入圧力、高圧、中間圧が検知できる場所に設置されればよく、図示した設置位置を限定するものではない。
【００２８】  冷媒温度検出手段である温度センサ７４は、各室内ユニット２のガス枝管４１に設置され、室内熱交換器３１のガス側温度を検知する。温度センサ７５は、各室内ユニット２の室内熱交換器３１と膨張弁３２の間に設置され、室内熱交換器３１の液側温度を検知する。温度センサ７３は、室内熱交換器３１（換言すると、各室内ユニット２）の吸込空気温度を検知する。
【００２９】  逆止弁１５ａは、室外熱交換器１３と高圧管６の間に設けられ、室外熱交換器１３から高圧管６の方向へのみ冷媒流通を許容するものである。逆止弁１５ｂは、低圧管７と四方弁１２の間に設けられ、低圧管７から四方弁１２の方向へのみ冷媒流通を許容するものである。逆止弁１５ｃは四方弁１２と高圧管６の間に設けられ、四方弁１２から高圧管６の方向へのみ冷媒流通を許容するものである。逆止弁１５ｄは、低圧管７と室外熱交換器１３の間に設けられ、低圧管７から室外熱交換器１３の方向へのみ冷媒流通を許容するものである。
【００３０】  電磁弁５６，５７は室内ユニット２のガス枝管４１を、高圧ガス管６１または低圧管７に切り替えて接続するものである。電磁弁５６を開放、電磁弁５７を閉止すると、ガス枝管４１と高圧ガス管６１が接続し、電磁弁５７を開放、電磁弁５６を閉止すると、ガス枝管４１と低圧管７が接続する。  逆止弁５８，５９は液枝管４２にそれぞれ逆並列関係に一端が接続されている。逆止弁５８の他端は液管６３に接続され、液管６３から液枝管４２の方向へのみ冷媒流通を許容する。逆止弁５９の他端は液管６４に接続され、液枝管４２から液管６４の方向へのみ冷媒流通を許容する。  気液分離器５１は、高圧管６から気液二相冷媒が流入した場合、ガスと液を分離して、ガス冷媒を高圧ガス管６１、液冷媒を液管６２に流す。
【００３１】  膨張弁５４は気液分離器５１と液管６３，６４の間に設けられる。バイパス配管６５は、液管６３と低圧管７とを結んでいる。膨張弁５５は、バイパス配管６５の途中に設けられる。内部熱交換器５３は、バイパス配管６５の膨張弁５５の下流部分と膨張弁５４から液管６３にいたる配管との間で熱交換を行うものである。一方、内部熱交換器５２は、バイパス配管６５の内部熱交換器５３の下流部分と、気液分離器５１と膨張弁５４を接続する配管との間で熱交換を行う。
【００３２】  膨張弁５４，５５の開度調整、電磁弁５６，５７の開閉は、中継機コントローラ２０６が制御（指令）する。
【００３３】  図２は、本発明の実施の形態１に係る空気調和装置の制御回路図である。図２に示すように、室外コントローラ２０２には、インバータ回路２０１が接続されている。この室外コントローラ２０２は、マイクロコンピュータ及びその周辺回路等からなる。また、インバータ回路２０１は、室外コントローラ２０２の指令に応じた運転周波数（及び電圧）の交流電力を圧縮機１１のモータに出力するものである。なお、室外コントローラ２０２は、圧力センサ７１，７２が検知する検知圧力に応じて、インバータ回路２０１に指令する運転周波数（つまり、圧縮機１１の回転数）を決定する。
【００３４】  室内コントローラ２０３のそれぞれには、弁駆動回路２０５が接続される。この室内コントローラ２０３は、マイクロコンピュータおよびその周辺回路からなり、中継機コントローラ２０６を介して室外コントローラ２０２と通信する。また、弁駆動回路２０５は、それぞれ室内コントローラ２０３の指令に応じて膨張弁３２の開度をそれぞれ設定するものである。なお、室内コントローラ２０３は、操作部２０４からの要求内容や温度センサ７３〜７５の検知温度に応じて、膨張弁３２の開度を決定する。この決定方法の詳細については後述する。また、室内コントローラ２０３は、ファン２１１の回転数制御も行う。
【００３５】  中継機コントローラ２０６は、中継機３に配管接続されている室内ユニット２ａ，２ｂ，２ｃ，２ｄの室内コントローラ２０３ａ，２０３ｂ，２０３ｃ，２０３ｄと通信して、室内ユニット２ａ，２ｂ，２ｃ，２ｄの運転情報を統合して室外コントローラ２０２と通信する。室内ユニット２の各種制御指令は、シリアル信号にて室外コントローラ２０２から中継機コントローラ２０６を介して、室内コントローラ２０３に供給されるようになっている。なお、中継機コントローラ２０６は、圧力センサ７６，７７が検知する検知圧力に応じて、膨張弁５４,５５の開度を決定する。
【００３６】  上記のように構成された空気調和装置に用いられる冷媒としては、たとえばＲ−２２、Ｒ−１３４ａ等の単一冷媒、Ｒ−４１０Ａ、Ｒ−４０４Ａ等の擬似共沸混合冷媒、Ｒ−４０７Ｃ等の非共沸混合冷媒、化学式内に二重結合を含む、ＣＦ３  ＣＦ＝ＣＨ２  等の地球温暖化係数が比較的小さい値とされている冷媒や、それらの混合物、あるいはＣＯ２  やプロパン等の自然冷媒がある。
【００３７】  図３は、室外熱交換器１３の構成の一例を示す部分回路図である。図４は、室外熱交換器１３の構成の他の一例と示す部分回路図である。図３及び図４に基づいて、室外熱交換器１３の構成について説明する。なお、図３及び図４には、実線矢印で全暖房運転時、暖房主体運時の冷媒の流れを、破線矢印で全冷房運転時、冷房主体運転時の冷媒の流れを、それぞれ示している。
【００３８】  図３に示す構成では、室外熱交換器１３は、室外熱交換部１６，１７、電磁開閉装置（熱交換器開閉装置）である熱交換器開閉弁２１，２２，２３，２４、熱交換器バイパス弁２５（熱交換器バイパス装置）を有している。熱交換器開閉弁２１，２２，２３，２４、熱交換器バイパス弁２５は、室外コントローラ２０２の指示に基づいて開閉し、室外熱交換器１３、つまり室外熱交換部１６，１７への冷媒流入出を制御する。例えば、熱交換器開閉弁２１（熱交換器開閉弁２２）又は熱交換器開閉弁２３（熱交換器開閉弁２４）のいずれか一方を室外コントローラ２０２により閉止する。これにより、室外熱交換部１６，１７のいずれか一方に冷媒を流入させず、熱交換できないようにし、室外熱交換器１３全体としての熱交換容量を減らすことができる。
【００３９】  また、ファン１０１は、室外コントローラ２０２からの指示に基づいて回転数を変化させて風量を調整することができ、この風量変化によっても室外熱交換器１３における熱交換容量を変化させることができる。例えば、ファン１０１の回転数を低下させると、風量が低下するため、室外熱交換器１３全体としての熱交換容量を減らすことができる。
【００４０】  さらに、熱交換器バイパス弁２５を開放することで、室外熱交換器１３を通過させずに、熱交換器バイパス弁２５を介して冷媒を通過させることができるため、室外熱交換器１３全体としての熱交換容量を減らすことができる。
【００４１】  また、熱交換器開閉弁２１（熱交換器開閉弁２２）又は熱交換器開閉弁２３（熱交換器開閉弁２４）を閉止することと、ファン１０１の風量を変化させることと、熱交換器バイパス弁２５を介して冷媒をバイパスさせることを適宜組み合わせて調整することにより、室外熱交換器１３においては、熱交換容量を連続的に変化させることができる。
【００４２】  室外熱交換器１３の室外熱交換部１６，１７は、２つの場合を示したが、３つ以上であってもよい。また、室外熱交換部１６，１７の大きさの比率は同一でも異なってもよい。また、ファン１０１のみで、室外熱交換器１３の熱交換容量を調整するようにしてもよい。
【００４３】  図４に示す構成では、室外熱交換器１３に、逆止弁２６，２７を設置することで、室外熱交換器１３に流入する冷媒の流れを一方向にできる。そのため、熱交換器開閉弁２２，２４を、逆止弁２８，２９に置き換えることができ、室外コントローラ２０２による熱交換容量の制御が簡略化できる。
【００４４】＜運転モード＞  続いて、各運転モードにおける空気調和装置の動作について、冷媒の流れに基づいて説明する。ここで、冷媒回路等における圧力の高低については、基準となる圧力との関係により定まるものではなく、圧縮機１１の圧縮、膨張弁３２等の冷媒流量制御等によりできる相対的な圧力として高圧、低圧として表すものとする。また、温度の高低についても同様であるものとする。
【００４５】  本実施の形態１に係る空気調和装置では、大きく４つの形態の運転が行われる。すなわち、室内ユニット２がすべて室内空間を加熱する暖房運転を行う全暖房運転、室内ユニット２がすべて室内空間を冷却する冷房運転を行う全冷房運転、室内ユニット２が冷房運転と暖房運転を混在して行い、暖房運転の容量が大きい暖房主体運転、冷房運転の容量が大きい冷房主体運転である。
【００４６】（全暖房運転）  図１において、全暖房運転を説明する。冷媒の流れは、図１の実線の矢印で示す。室外ユニット１において、圧縮機１１に吸入された冷媒は、圧縮され、高圧のガス冷媒として吐出される。圧縮機１１を出た冷媒は、四方弁１２を流れ、さらに逆止弁１５ｃ、高圧管６を通って室外ユニット１を流出する。中継機３に流入した冷媒は、気液分離器５１、高圧ガス管６１、電磁弁５６、ガス枝管４１を通って各室内ユニット２に流入する。
【００４７】  室内ユニット２に流入したガス冷媒は室内熱交換器３１に流入して暖房する。室内熱交換器３１を流出した液冷媒は、膨張弁３２により中間圧まで減圧され、中間圧の液冷媒となる。中間圧の液冷媒は室内ユニット２を流出して、液枝管４２、逆止弁５９を通った後液管６４で合流し、ここから内部熱交換器５３を通ってバイパス配管６５に入り、膨張弁５５に流入して低温低圧の気液二相状態まで減圧される。減圧された冷媒は、バイパス配管６５、内部熱交換器５３、内部熱交換器５２を経た後、低圧管７を通って室外ユニットへ戻る。
【００４８】  室外ユニットに流入した冷媒は、逆止弁１５ｄを通って、室外熱交換器１３に流入して空気と熱交換することで蒸発し、ガス冷媒もしくは気液二相冷媒で流出する。蒸発した冷媒は、四方弁１２、アキュムレータ１４を介して再度圧縮機１１へ吸い込まれる。
【００４９】  このとき、高圧管６は高圧で、室外熱交換器１３は低圧であり、圧縮機１１と逆止弁１５ｂの間は高圧で、低圧管７は低圧であるため、逆止弁１５ａ，１５ｂには冷媒が流れない。また、電磁弁５７は閉止している。
【００５０】（全冷房運転）  図１において、冷房運転を説明する。冷媒の流れは、図１の破線の矢印で示す。室外ユニットにおいて、圧縮機１１に吸入された冷媒は、圧縮され、高圧のガス冷媒として吐出される。圧縮機１１を出た冷媒は、四方弁１２を経て、凝縮器として機能する室外熱交換器１３に流れ凝縮し、高圧の液冷媒となって流出し、逆止弁１５ａ、高圧管６を通って室外ユニットを流出する。中継機３に流入した冷媒は、気液分離器５１、液管６２、内部熱交換器５２、膨張弁５４、内部熱交換器５３の順に通って、液管６３において分流する。分流した冷媒は逆止弁５８、液枝管４２を通って各室内ユニット２に流入する。
【００５１】  室内ユニット２に流入した冷媒は膨張弁３２の開度を調整することで膨張し、低温低圧の気液二相冷媒が室内熱交換器３１に流入して冷房する。流出したガス冷媒は、室内ユニット２を出てガス枝管４１、電磁弁５７を通って合流し、低圧管７を通過して、室外ユニットに戻る。室外ユニットに流入した冷媒は、逆止弁１５ｂ、四方弁１２、アキュムレータ１４を介して再度圧縮機１１へ吸い込まれる。
【００５２】  このとき、高圧管６は高圧で、圧縮機１１と逆止弁１５ｃの間は低圧であり、室外熱交換器１３と逆止弁１５ｄの間は高圧で、低圧管７は低圧であるので、逆止弁１５ｃ，１５ｄには冷媒が流れない。また、電磁弁５６は閉止している。
【００５３】  また、このサイクルのときは、膨張弁５４を通過した冷媒の一部がバイパス配管６５へ流入し、膨張弁５５で減圧されて、内部熱交換器５３において、膨張弁５４から液管６３に向かう冷媒との間で熱交換が行われる。内部熱交換器５３を通過した冷媒は、さらに、内部熱交換器５２において、膨張弁５４に流入する冷媒との間で熱交換が行われる。内部熱交換器５２における熱交換により蒸発した冷媒は、室内ユニット２において冷房した冷媒と低圧管７で合流し、室外ユニットへ戻る。一方、内部熱交換器５２および内部熱交換器５３における熱交換により冷却され過冷却度を十分につけられた冷媒は、逆止弁５８、液枝管４２を経由して、室内ユニット２に流入する。
【００５４】（暖房主体運転）  図５は、本発明の実施の形態１に係る空気調和装置の暖房主体運転を示す冷媒回路図である。図５において、暖房主体運転を説明する。ここでは、一例として、室内ユニット２ａ，２ｂ，２ｃが暖房運転、室内ユニット２ｄが冷房運転を行うとする。
【００５５】  室外ユニットにおいて、圧縮機１１に吸入された冷媒は、圧縮され、高圧のガス冷媒として吐出される。圧縮機１１を出た冷媒は、四方弁１２を流れ、さらに逆止弁１５ｃ、高圧管６を通って室外ユニットを流出する。中継機３に流入した冷媒は、気液分離器５１、高圧ガス管６１を通り、電磁弁５６ａ，５６ｂ，５６ｃ、ガス枝管４１ａ，４１ｂ，４１ｃを通って、暖房運転する各室内ユニット２ａ，２ｂ，２ｃに流入する。
【００５６】  室内ユニット２ａ，２ｂ，２ｃに流入したガス冷媒は室内熱交換器３１ａ，３１ｂ，３１ｃに流入して暖房する。室内熱交換器３１ａ，３１ｂ，３１ｃを流出した液冷媒は、膨張弁３２ａ，３２ｂ，３２ｃにより中間圧まで減圧され、中間圧の液冷媒となる。中間圧の液冷媒は室内ユニット２ａ，２ｂ，２ｃを流出して、液枝管４２ａ，４２ｂ，４２ｃ、逆止弁５９ａ，５９ｂ，５９ｃを通った後、液管６４で合流する。
【００５７】  合流した中間圧の液冷媒は、内部熱交換器５３を通り、一部が液管６３、逆止弁５８ｄ、液枝管４２ｄを通って室内ユニット２ｄに流入する。室内ユニット２ｄに流入した冷媒は膨張弁３２ｄの開度を調整することで膨張し、低温低圧の気液二相冷媒が室内熱交換器３１ｄに流入して冷房する。流出したガス冷媒は、室内ユニット２ｄを出てガス枝管４１ｄ、電磁弁５７ｄを通って、低圧管７に至る。一方で、内部熱交換器５３を通った中間圧の液冷媒の他の一部は、バイパス配管６５に流入し、高圧管６の高圧と液管６３，６４の圧力である中間圧との差を一定にするように制御される膨張弁５５を通って、内部熱交換器５３、内部熱交換器５２を通過して低圧管７に至り、室内ユニット２ｄを冷房した冷媒と合流して、低温低圧の気液二相冷媒として室外ユニットへ戻る。
【００５８】  室外ユニットに流入した冷媒は、逆止弁１５ｄを通って、室外熱交換器１３に流入して空気と熱交換することで蒸発し、ガス冷媒もしくは気液二相冷媒で流出する。蒸発した冷媒は、四方弁１２、アキュムレータ１４を介して再度圧縮機１１へ吸い込まれる。
【００５９】  このとき、高圧管６は高圧で、室外熱交換器１３は低圧であり、圧縮機１１と逆止弁１５ｂの間は高圧で、低圧管７は低圧であるため、逆止弁１５ａ，１５ｂには冷媒が流れない。また、電磁弁５６ｄ，５７ａ，５７ｂ，５７ｃは閉止している。また、このサイクルのとき、バイパス配管６５へ入った冷媒は、膨張弁５５で減圧された後、内部熱交換器５３において液管６４から流入する冷媒との間で熱交換が行われるため、逆止弁５８ｄ、液枝管４２ｄを経由して、室内ユニット２ｄに流入する冷媒は、冷却され過冷却度を十分につけられる。
【００６０】（冷房主体運転）  図６は、本発明の実施の形態１に係る空気調和装置の冷房主体運転を示す冷媒回路図である。図６において、冷房主体運転を説明する。ここでは、一例として、室内ユニット２ａ，２ｂ，２ｃが冷房運転、室内ユニット２ｄが暖房運転を行うとする。
【００６１】  室外ユニットにおいて、圧縮機１１に吸入された冷媒は、圧縮され、高圧のガス冷媒として吐出される。圧縮機１１を出た冷媒は、四方弁１２を経て、凝縮器として機能する室外熱交換器１３に流れ任意量凝縮し、高圧の気液二相冷媒となって流出し、逆止弁１５ａ、高圧管６を通って室外ユニットを流出する。中継機３に流入した冷媒は、気液分離器５１に流入して、ガス冷媒と液冷媒に分離される。分離されたガス冷媒は、高圧ガス管６１を通り、電磁弁５６ｄ、ガス枝管４１ｄを通って、暖房運転する室内ユニット２ｄに流入する。
【００６２】  室内ユニット２ｄに流入したガス冷媒は室内熱交換器３１ｄに流入して暖房する。室内熱交換器３１ｄを流出した液冷媒は、膨張弁３２ｄにより中間圧まで減圧され、中間圧の液冷媒となる。中間圧の液冷媒は室内ユニット２ｄを流出して、液枝管４２ｄ、逆止弁５９ｄを通った後、液管６４に至る。
【００６３】  一方で、気液分離器５１にて分離された液冷媒は、液管６２から流出し、内部熱交換器５２、高圧管６の高圧と液管６３，６４の圧力である中間圧との差を一定にするように制御される膨張弁５４を通って、室内ユニット２ｄを暖房して液管６４を通る液冷媒と合流する。合流した液冷媒は、内部熱交換器５３を通って、一部は液管６３に流入して、逆止弁５８ａ，５８ｂ，５８ｃ、液枝管４２ａ，４２ｂ，４２ｃを通って室内ユニット２ａ，２ｂ，２ｃに流入する。
【００６４】  室内ユニット２ａ，２ｂ，２ｃに流入した冷媒は膨張弁３２ａ，３２ｂ，３２ｃの開度を調整することで膨張し、低温低圧の気液二相冷媒が室内熱交換器３１ａ，３１ｂ，３１ｃに流入して冷房する。流出したガス冷媒は、室内ユニット２ａ，２ｂ，２ｃを出てガス枝管４１ａ，４１ｂ，４１ｃ、電磁弁５７ａ，５７ｂ，５７ｃを通って合流し、低圧管７を通過して、室外ユニットに戻る。室外ユニットに流入した冷媒は、逆止弁１５ｂ、四方弁１２、アキュムレータ１４を介して再度圧縮機１１へ吸い込まれる。
【００６５】  このとき、高圧管６は高圧で、圧縮機１１と逆止弁１５ｃの間は低圧であり、室外熱交換器１３と逆止弁１５ｄの間は高圧で、低圧管７は低圧であるので、逆止弁１５ｃ，１５ｄには冷媒が流れない。また、電磁弁５６ａ，５６ｂ，５６ｃ，５７ｄは閉止している。
【００６６】  また、このサイクルのときは、液管６３の冷媒の一部がバイパス配管６５へ流入し、膨張弁５５で減圧されて、内部熱交換器５３において、膨張弁５４から液管６３に向かう冷媒との間で熱交換が行われる。内部熱交換器５３を通過した冷媒は、さらに、内部熱交換器５２において、膨張弁５４に流入する冷媒との間で熱交換が行われる。内部熱交換器５２における熱交換により蒸発した冷媒は、室内ユニット２ａ，２ｂ，２ｃにおいて冷房した冷媒と低圧管７で合流し、室外ユニットへ戻る。一方、内部熱交換器５２および内部熱交換器５３における熱交換により冷却され過冷却度を十分につけられた冷媒は、逆止弁５８ａ，５８ｂ，５８ｃ、液枝管４２ａ，４２ｂ，４２ｃを経由して、室内ユニット２ａ，２ｂ，２ｃに流入する。
【００６７】＜本実施の形態１に係る空気調和装置のアクチュエータ制御＞  続いて、上記のように運転される本実施の形態１に係る空気調和装置に設けられた各種アクチュエータの制御方法について説明する。
【００６８】（圧縮機１１の容量制御）  圧縮機１１の容量制御について説明する。圧縮機１１は、室外コントローラ２０２からの指令により回転数が制御される。具体的には、全暖房運転時、暖房主体運転時は、圧力センサ７１が検知する吐出圧力を目標値にして圧縮機１１の回転数が制御され、本実施の形態１に係る空気調和装置の冷凍サイクル全体の冷媒流量が調整される。換言すると、全暖房運転時、暖房主体運転時、室外コントローラ２０２は、冷媒の凝縮飽和温度（以下、単に凝縮温度ともいう）が所定の凝縮飽和温度目標値となるように、圧縮機１１の回転数を制御する。このとき、吐出圧力は、冷媒の飽和温度に換算しておよそ５０度（℃）程度とするのが望ましい。
【００６９】  また、全冷房運転時、冷房主体運転時は、圧力センサ７２が検知する吸入圧力を目標値にして圧縮機１１の回転数が制御され、本実施の形態１に係る空気調和装置の冷凍サイクル全体の冷媒流量が調整される。換言すると、全冷房運転時、冷房主体運転時、室外コントローラ２０２は、冷媒の蒸発飽和温度（以下、単に蒸発温度ともいう）が所定の蒸発飽和温度目標値となるように圧縮機１１の回転数を制御する。このとき、吸入圧力は、飽和温度に換算しておよそ０度（℃）程度とするのが望ましい。
【００７０】（室外熱交換器１３の熱交換容量制御）  室外熱交換器１３の熱交換容量制御について説明する。前述のように室外熱交換器１３は、室外コントローラ２０２からの指令により熱交換容量が制御される。暖房主体運転時は、全暖房運転時に室外熱交換器１３において行っていた冷媒の蒸発の一部を、冷房運転する室内ユニット２において行うことで、冷暖同時運転を実現している。このとき、圧力センサ７２が検知する吸入圧力を目標値にして熱交換容量を制御することで、冷房する室内ユニット２の冷房負荷と室外熱交換器１３の吸熱量とのバランスを調整することができる。例えば、吸入圧力は飽和温度に換算しておよそ０度（℃）程度とするのが望ましい。
【００７１】  一方で、冷房主体運転時は、全冷房運転時に室外熱交換器１３において行っていた冷媒の凝縮の一部を、暖房運転する室内ユニット２において行うことで、冷暖同時運転を実現している。このとき、圧力センサ７１が検知する吐出圧力を目標値にして熱交換容量を制御することで、暖房する室内ユニット２の暖房負荷と室外熱交換器１３の放熱量とのバランスを調整することができる。例えば、吐出圧力は飽和温度に換算しておよそ５０℃程度とするのが望ましい。
【００７２】（圧縮機１１の容量制御に対する冷凍サイクルの作用）  圧縮機１１の容量制御に対する冷凍サイクルの作用について説明する。全暖房運転、暖房主体運転時は、暖房負荷（室内ユニット２の吸込み空気温度）が一定とすれば、圧縮機１１の回転数を高くすると、暖房運転する室内ユニット２において凝縮する冷媒流量が増加する。そのため、冷媒と空気の温度差を大きくするために凝縮温度が高くなる。言い換えると、凝縮温度を目標値に圧縮機１１の回転数を制御する場合、凝縮温度目標値を高くすると、圧縮機１１の回転数が高くなる。
【００７３】  全冷房運転、冷房主体運転時は、冷房負荷（室内ユニット２の吸込み空気温度）が一定とすれば、圧縮機１１の回転数を高くすると、冷房運転する室内ユニット２において蒸発する冷媒流量が増加する。そのため、空気と冷媒の温度差を大きくするために蒸発温度が低くなる。言い換えると、蒸発温度を目標値に圧縮機１１の回転数を制御する場合、蒸発温度目標値を低くすると、圧縮機１１の回転数が高くなる。
【００７４】（室外熱交換器１３の熱交換容量制御に対する冷凍サイクルの作用）  室外熱交換器１３の熱交換容量制御に対する冷凍サイクルの作用について説明する。暖房主体運転時は、室内ユニット２の冷房負荷（室内吸込温度）が一定とすれば、室外熱交換器１３の熱交換容量を小さくすると、室外熱交換器１３と冷房運転する室内ユニット２の室内熱交換器３１を合わせた冷凍サイクル全体の蒸発器の熱交換容量が減少する。このとき、蒸発器で蒸発する冷媒の熱交換量が変わらないとすれば、空気と冷媒の温度差を大きくするために蒸発温度が低くなる。
【００７５】  言い換えると、蒸発温度を目標値に室外熱交換器１３の熱交換容量を制御する場合、蒸発温度目標値を低くすると、熱交換容量が小さくなる。冷房運転する室内ユニット２の室内熱交換器３１の熱交換容量（伝熱面積）は変化していないため、蒸発温度が低くなると室内ユニット２の冷房能力が増加する。一方で、熱交換容量が小さくなった室外熱交換器１３においては、熱交換量が減少する。
【００７６】  冷房主体運転時は、室内ユニット２の暖房負荷（室内吸込温度）が一定とすれば、室外熱交換器１３の熱交換容量を小さくすると、室外熱交換器１３と暖房運転する室内ユニット２の室内熱交換器３１を合わせた冷凍サイクル全体の凝縮器の熱交換容量が減少する。このとき、凝縮器で凝縮する冷媒の熱交換量が変わらないとすれば、空気と冷媒の温度差を大きくするために凝縮温度が高くなる。
【００７７】  言い換えると、凝縮温度を目標値に室外熱交換器１３の熱交換容量を制御する場合、凝縮温度目標値を高くすると、熱交換容量が小さくなる。暖房運転する室内ユニット２の室内熱交換器３１の熱交換容量（伝熱面積）は変化していないため、凝縮温度が高くなると室内ユニット２の暖房能力が増加する。一方で、熱交換容量が小さくなった室外熱交換器１３においては、熱交換量が減少する。
【００７８】（膨張弁３２の流量制御）  室内ユニット２の冷媒流量制御について説明する。膨張弁３２は、室内コントローラ２０３からの指令により開度が制御される。具体的には、暖房運転時は、室内熱交換器３１の過冷却度を目標値にして膨張弁３２の開度が制御され、各室内ユニット２に流入する冷媒流量が調整される。過冷却度の算出方法は次の通りである。室外ユニットの圧力センサ７１が検知する吐出圧力を、室外コントローラ２０２において飽和温度である凝縮温度に換算して、各室内ユニットの室内コントローラ２０３に送信する。室内コントローラ２０３は、凝縮温度と、温度センサ７５が検知する冷媒の液側温度の差から、過冷却度を算出する。このとき、過冷却度は、およそ８度（℃）程度とするのが望ましい。
【００７９】  冷房運転時は、室内熱交換器３１の過熱度を目標値にして膨張弁３２の開度が制御され、各室内ユニット２に流入する冷媒流量が調整される。過冷却度は、室内コントローラ２０３において、温度センサ７４が検知する冷媒のガス側温度と、温度センサ７５が検知する冷媒の液側温度の差から算出する。このとき、過熱度は、およそ３度（℃）程度とするのが望ましい。
【００８０】＜室内負荷と冷媒のアクチュエータ制御の関係＞  まず、凝縮温度（吐出圧力）と蒸発温度（吸入圧力）の制御について述べる。暖房運転時は、冷媒の凝縮温度をある範囲で制御しており、これによって多室形の空気調和装置のように室内ユニット２の暖房負荷がそれぞれ異なる場合でも、所定の暖房能力を発揮することができる。冷房運転時は、冷媒の蒸発温度をある範囲で制御しており、これによって多室形の空気調和装置のように室内ユニット２の冷房負荷がそれぞれ異なる場合でも、所定の冷房能力を発揮することができる。
【００８１】  次に、過冷却度と過熱度の制御について述べる。例えば、ある凝縮温度と過冷却度で室内ユニット２が暖房運転を行っているとする。このとき、室内ユニット２の吸込空気温度が低下、すなわち負荷が増加すると、膨張弁３２の開度を変化させずに室内熱交換器３１の冷媒流量が一定であれば、室内熱交換器３１の熱交換量が増加して冷媒がより多く凝縮するため、過冷却度が大きくなる。このとき、膨張弁３２の開度を大きくすると、室内熱交換器３１において凝縮する冷媒流量が増加するため、過冷却度が小さくなり目標値に近づく。また、室内熱交換器３１の熱交換量がより大きくなるため、室内ユニット２の暖房能力をより大きくすることができる。
【００８２】  一方で、室内ユニット２の吸込空気温度が上昇、すなわち負荷が減少すると、室内熱交換器３１の熱交換量が減少して冷媒がより少なく凝縮するため、過冷却度が小さくなる。このとき、膨張弁３２の開度を小さくすると、室内熱交換器３１において凝縮する冷媒流量が減少するため、過冷却度が大きくなり目標値に近づく。また、室内熱交換器３１の熱交換量がより小さくなるため、室内ユニット２の暖房能力をより小さくすることができる。言い換えると、過冷却度を目標値に膨張弁３２の開度を制御する場合、過冷却度目標値を大きくすると、膨張弁３２の開度が小さくなる。
【００８３】  以上のように、凝縮温度と過冷却度を制御することで、室内負荷に対して所定の暖房能力を発揮することができる。
【００８４】  冷房運転においては、室内ユニット２の吸込空気温度が高く、すなわち負荷が増加すると過熱度が大きくなり、室内ユニット２の吸込空気温度が低く、すなわち負荷が減少すると過熱度が小さくなる。よって、蒸発温度と過熱度を制御することで、室内負荷に対して所定の冷房能力を発揮することができる。言い換えると、過熱度を目標値に膨張弁３２の開度を制御する場合、過熱度目標値を大きくすると、膨張弁３２の開度が小さくなる。
【００８５】＜一部の室内ユニットの暖房能力増大制御方法＞  本実施の形態１に係る空気調和装置において、冷房主体運転時に、ある一部の室内ユニット２から暖房能力増大要求があるときに、室外熱交換器１３の熱交換容量を通常より小さくして、要求のあった室内ユニット２の暖房能力を設計容量よりも大きくするとともに、他の室内ユニット２においては冷媒流量を抑制して、暖房能力が過大となるのを抑制する制御について説明する。ここでは、室内ユニット２ｂから暖房能力増大要求があった場合について述べる。
【００８６】  図７は、本発明の実施の形態１に係る空気調和装置の暖房能力増大制御を示すフローチャートである。図７に基づいて、凝縮温度目標値Ｔｃｍと過冷却度目標値ＳＣｍの値を変更して室内ユニット２ｂの暖房能力を増大させる場合を一例として説明する。このとき、室内ユニット２ａ，２ｂが暖房運転を行い、室内ユニット２ｃ，２ｄが冷房運転を行っているとする。ここで、室内熱交換器３１ｂが本発明の「第１の利用側熱交換器」に相当する。また、室内熱交換器３１ａが本発明の「第２の利用側熱交換器」に相当する。
【００８７】  室内コントローラ２０３ｂは、室内ユニット２ｂの操作部２０４ｂから、暖房能力増大要求を受けると、暖房能力優先を室外コントローラ２０２に送信する。室外コントローラ２０２は、暖房能力優先を受信すると、図７のフローを開始して、空気調和装置の運転モードを能力優先モードに設定する（ステップＳ１０１）。ステップＳ１０２において、室外コントローラ２０２は、凝縮温度目標値ＴｃｍをΔＴｃｍだけ高くする。このとき、室外熱交換器１３は、凝縮温度Ｔｃを基に熱交換容量ＡＫが制御されている。このため、熱交換容量ＡＫが熱交換容量最小値ＡＫｍｉｎより大きければ、凝縮温度目標値Ｔｃｍが高くなると熱交換容量ＡＫが小さくなる。
【００８８】  ステップＳ１０３において、室外コントローラ２０２は、能力優先以外の室内ユニット２（ここでは室内ユニット２ａとする）に、能力抑制モードを送信する。能力抑制モードを受信した室内ユニット２ａの室内コントローラ２０３ａは、ステップＳ１０４において、室内熱交換器３１ａの過冷却度目標値ＳＣｍをΔＳＣｍだけ大きくする。このとき、膨張弁３２ａは、過冷却度ＳＣの演算値を基に開度Ｌが制御されているので、過冷却度目標値ＳＣｍが大きくなると開度Ｌが小さくなる。
【００８９】  室外コントローラ２０２は、室外熱交換器１３の熱交換容量ＡＫと膨張弁開度の変化により、冷凍サイクルの運転状態が変化するため、ステップＳ１０５において一定時間経過させる。この一定時間は、およそ３分から５分程度が望ましい。ステップＳ１０６において、室外コントローラ２０２は、室外熱交換器１３の熱交換容量ＡＫが熱交換容量最小値ＡＫｍｉｎより大きいかを判断する。熱交換容量ＡＫが熱交換容量最小値ＡＫｍｉｎより大きければ（Ｙｅｓ）、ステップＳ１０７において、室外コントローラ２０２は、能力優先室内ユニット２ｂに、冷媒流量増加モードを送信する。なお、ステップＳ１０６において、熱交換容量ＡＫが熱交換容量最小値ＡＫｍｉｎであれば（Ｎｏ）、フローは終了する。
【００９０】  冷媒流量増加モードを受信した室内コントローラ２０３ｂは、ステップＳ１０８において、室内熱交換器３１ｂの過冷却度目標値ＳＣｍをΔＳＣｍだけ小さくする。このとき、膨張弁３２ｂは、過冷却度ＳＣの演算値を基に開度Ｌが制御されているので、過冷却度目標値ＳＣｍが小さくなると開度Ｌが大きくなる。この時点で、凝縮温度目標値Ｔｃｍと過冷却度目標値ＳＣｍの値を変更するフローは終了するが、変更されたＴｃｍとＳＣｍは、室内ユニット２ｂの操作部２０４ｂから、暖房能力優先要求が取り消しされるまで維持される。
【００９１】＜暖房能力増大制御の効果＞  以上、本実施の形態１のように構成された空気調和装置においては、ステップＳ１０２において、凝縮温度目標値Ｔｃｍを高くするため、室外熱交換器１３の熱交換容量ＡＫは、冷凍サイクルの所定の暖房能力を発揮するための熱交換容量ＡＫより小さくなる。すなわち、室内熱交換器３１ｂの放熱量が増加するため、暖房能力を所定の能力よりも大きくすることができる。
【００９２】  また、ステップＳ１０４において、能力優先以外の室内熱交換器３１ａでは、過冷却度目標値ＳＣｍを大きくするため、膨張弁３２ａの開度Ｌは小さくなる。すなわち、室内熱交換器３１ａを流れる冷媒流量が小さくなるため、能力優先以外の室内ユニット２ａにおいて、室外熱交換器１３の熱交換容量ＡＫが小さくなることによる暖房能力の増大を抑制できる。
【００９３】  冷房主体運転のとき、圧縮機１１の運転容量を大きくすると、冷凍サイクル全体の冷媒流量が増加するため、凝縮温度目標値Ｔｃｍを高くすることができるが、その場合、冷房運転する２ｃ，２ｄの冷房能力も同時に増加してしまう。そのため、凝縮温度目標値Ｔｃｍを高くするためには、室外熱交換器１３の熱交換容量ＡＫを小さくする方がより効果的である。
【００９４】  また、凝縮温度目標値Ｔｃｍを高くして、室内熱交換器３１ａの過冷却度目標値ＳＣｍを変化させずに室外熱交換器１３の熱交換容量ＡＫのみ小さくする場合、暖房運転を行っている室内熱交換器３１すべての暖房能力が増大して、能力優先室内ユニット２ｂの能力増大効果が小さくなってしまう。そのため、能力優先以外の室内熱交換器３１ａにおいて、過冷却度目標値ＳＣｍを大きくすることで、能力優先室内ユニット２ｂの能力増大効果をより大きくすることができる。
【００９５】  また、ステップＳ１０８において、能力優先室内熱交換器３１ｂでは、過冷却度目標値ＳＣｍを小さくするため、膨張弁３２ｂの開度Ｌは大きくなる。すなわち、室内熱交換器３１ｂを流れる冷媒流量が大きくなるため、室内ユニット２ｂの暖房能力をより大きくすることができる。このとき、凝縮温度目標値Ｔｃｍを高くせずに膨張弁３２ｂの開度Ｌのみ大きくして能力優先室内熱交換器３１ｂの暖房能力を増大させる場合、膨張弁３２ｂの開度Ｌをより大きくする必要がある。そうすると、室内熱交換器３１ｂの過冷却度が極端に小さくなるため、膨張弁３２ｂが過冷却度を目標値に開度Ｌを制御することが困難になる。
【００９６】  さらに、過冷却度が小さく、例えば室内熱交換器３１ｂの冷媒出口が気液二相状態となると、膨張弁３２ｂに流入する冷媒の密度が変動して、冷媒流量制御が不安定になる可能性がある。よって、凝縮温度目標値Ｔｃｍを高くすることで、能力優先室内機熱交換器３１ｂの暖房能力をより効果的に増大できる。
【００９７】  また、ステップＳ１０２において、室外熱交換器１３の熱交換容量ＡＫが熱交換容量最小値ＡＫｍｉｎであった場合、熱交換容量ＡＫを小さくすることができないが、この場合でも、ステップＳ１０４において能力優先以外の室内熱交換器３１ａを流れる冷媒流量を小さくして、ステップＳ１０８において能力優先の室内熱交換器３１ｂを流れる冷媒流量を大きくすることで、能力優先の室内ユニット２ｂの暖房能力を増大することができる。
【００９８】  また、ステップＳ１０６において、室外熱交換器１３の熱交換容量ＡＫが熱交換容量最小値ＡＫｍｉｎであった場合、能力優先の室内熱交換器３１ｂの過冷却度目標値ＳＣｍを変更しない。これは、熱交換容量ＡＫが熱交換容量最小値ＡＫｍｉｎの状態で、膨張弁３２ｂの開度Ｌを大きくして、室内熱交換器３１ｂの冷媒流量を大きくすると、凝縮温度Ｔｃを凝縮温度目標値Ｔｃｍに維持できず低下するのを防止するためである。
【００９９】  また、本実施の形態１においては、空気調和装置が冷房主体運転を実施している場合であっても、暖房する室内ユニット２の暖房能力を増大することができる。例えば、室外ユニットの運転モードを冷房主体運転から暖房主体運転に変更する場合、四方弁１２を切り替えて、室外熱交換器１３を凝縮器から蒸発器へ切り替える必要がある。その場合、空気調和装置が定常状態に安定するまで時間がかかる。よって、一時的に暖房能力が多く必要となるような場合でも、室外ユニットの運転モードを冷房主体運転から暖房主体運転に変更する必要がなく、冷凍サイクルを安定して運転することができる。
【０１００】  本実施の形態１においては、冷房主体運転時の室内ユニット２の暖房能力増大制御について述べたが、暖房主体運転時に冷房能力を増大させる制御を実施してもよい。この場合、蒸発温度目標値ＴｅｍをΔＴｅｍだけ低くして、室外熱交換器１３の熱交換容量ＡＫを冷凍サイクルの所定の冷房能力を発揮するための熱交換容量ＡＫより小さくすればよい。また、能力優先の室内ユニット２に対しては、室内熱交換器３１の過熱度目標値ＳＨｍを、ΔＳＨｍだけ小さくすることで冷媒流量を大きくして、能力優先以外の室内熱交換器３１の過熱度目標値ＳＨｍをΔＳＨｍだけ大きくすることで冷媒流量を小さくできる。
【０１０１】実施の形態２．  以上の実施の形態１では、室内ユニット２に直接冷媒を循環させて、冷暖房を行う空気調和装置を示した。次に、熱媒体間熱交換器において冷媒と水などの熱媒体を熱交換させて、室内ユニット２に熱媒体を循環させるユニットを接続する空気調和装置の実施の形態を示す。つまり、本実施の形態２では、熱媒体を用いて室内の空調を行う間接式の室内ユニット（間接式室内熱交換器）を備えた空気調和装置の実施の形態を示す。なお、本実施の形態２においては、実施の形態１と同様の構成については同一の符号を付し、特に言及しない点については実施の形態１と同様とする。
【０１０２】  本実施の形態２に係る空気調和装置は、実施の形態１に係る空気調和装置と同様に、冷暖同時運転時において、室外熱交換器１３の熱交換容量を小さくして、室外熱交換器１３と同じ運転モードの室内熱交換器３１の一部の能力を増大させ、同じモードのその他の室内熱交換器３１に対しては膨張弁３２を調整して冷媒流量を減少させて、能力が過剰になるのを抑制するようにしたものである。
【０１０３】  図８は、本発明の実施の形態２に係る空気調和装置の冷媒回路図である。本実施の形態２に係る空気調和装置は、実施の形態１で示した空気調和装置の構成に、熱媒体中継機８及び室内ユニット２ｅ，２ｆ，２ｇ，２ｈを追加したものである。この熱媒体中継機８には、熱媒体間熱交換器８１，８２、四方弁８３，８４、膨張弁８５，８６，８７、内部熱交換器８８、熱媒体送出手段であるポンプ９１，９２、熱媒体流路切替手段である三方弁９３，９４、熱媒体流量調整手段である流量調整弁９５、熱媒体中継機コントローラ２０７を収容する。また、室内ユニット２ｅ，２ｆ，２ｇ，２ｈには、室内熱交換器３１ｅ，３１ｆ，３１ｇ，３１ｈを収容する。なお、熱媒体中継機８、室内ユニット２の台数は任意である。
【０１０４】  熱媒体中継機８は、高圧ガス管６６と高圧ガス管６１とを接続し、液管６７と液管６４とを接続し、低圧管６８と低圧管７とを接続して、中継機３と配管接続している。熱媒体中継機８と室内ユニット２のそれぞれ（室内熱交換器３１のそれぞれ）は水や不凍液等の安全な熱媒体が流れる熱媒体配管１１１，１１２で接続されている。つまり、熱媒体中継機８と室内ユニット２のそれぞれ（室内熱交換器３１のそれぞれ）は、１つの熱媒体経路で接続されている。
【０１０５】  室内ユニット２ａ，２ｂ，２ｃ，２ｄは、中継機３と冷媒配管であるガス枝管４１と液枝管４２とで配管接続されているので、室内熱交換器３１ａ，３１ｂ，３１ｃ，３１ｄは冷媒が直接循環して冷暖房を行う。すなわち、室内ユニット２ａ，２ｂ，２ｃ，２ｄは、直膨式室内機である。一方、室内ユニット２ｅ，２ｆ，２ｇ，２ｈは、熱媒体中継機８と熱媒体配管１１１，１１２で配管接続されているので、室内熱交換器３１ｅ，３１ｆ，３１ｇ，３１ｈは熱媒体が循環して冷暖房を行う。すなわち、室内ユニット２ｅ，２ｆ，２ｇ，２ｈは、間接式室内機である。
【０１０６】  図９は、本発明の実施の形態２に係る空気調和装置の制御回路図である。熱媒体中継機８は熱媒体中継機コントローラ２０７を備え、弁駆動回路２０９、ポンプ駆動回路２１０が接続される。この熱媒体中継機コントローラ２０７は、マイクロコンピュータおよびその周辺回路からなり、各種制御指令をシリアル信号にて前記室外コントローラ２０２から供給されるようになっている。
【０１０７】  また、中継機コントローラ２０６は中継機３に配管接続されている室内ユニット２ａ，２ｂ，２ｃ，２ｄの室内コントローラ２０３ａ，２０３ｂ，２０３ｃ，２０３ｄと通信して、中継機コントローラ２０６は室内ユニット２ａ，２ｂ，２ｃ，２ｄの運転情報を統合して室外コントローラ２０２と通信する。さらに、熱媒体中継機コントローラ２０７は熱媒体中継機８に配管接続されている室内ユニット２ｅ，２ｆ，２ｇ，２ｈの室内コントローラ２０３ｅ，２０３ｆ，２０３ｇ，２０３ｈと通信して、熱媒体中継機コントローラ２０７は室内ユニット２ｅ，２ｆ，２ｇ，２ｈの運転情報を統合して室外コントローラ２０２と通信する。なお、図９では、室内ユニット２ｅ及びその室内コントローラ２０３ｅのみ記載している。
【０１０８】  熱媒体間熱交換器８１，８２は、冷媒を通過させる伝熱部と熱媒体を通過させる伝熱部とを有し、冷媒と熱媒体とによる媒体間の熱交換を行わせる。熱媒体間熱交換器８１，８２は間接式室内ユニットである室内ユニット２の運転モードによって、凝縮器として冷媒に放熱させて熱媒体を加熱する場合と、蒸発器として冷媒に吸熱させて熱媒体を冷却する場合がある。
【０１０９】  ポンプ９１，９２は、熱媒体を循環させるために加圧する。ここで、ポンプ９１，９２については、内蔵するモータ（図示せず）の回転数を一定の範囲内で変化させることで、熱媒体を送り出す流量（吐出流量）を変化させることができる。
【０１１０】  三方弁９３は、熱媒体配管１１５または熱媒体配管１１６を切り替えて、熱媒体配管１１１と接続する。三方弁９４は、熱媒体配管１１３または熱媒体配管１１４を切り替えて、熱媒体配管１１２と接続する。流量調整弁９５は、それぞれ、室内ユニット２に流入する熱媒体の流量を調整する。
【０１１１】  室外ユニットと中継機３は冷媒配管である高圧管６と低圧管７で接続されている。また、中継機３と室内ユニット２は冷媒配管であるガス枝管４１と液枝管４２で接続されている。
【０１１２】  また、本実施の形態２に係る空気調和装置には、各種の圧力センサや温度センサが設けられている。  圧力センサ１３８は、熱媒体間熱交換器８１，８２が凝縮器として機能する場合に、凝縮圧力を検知する。ただし、圧力センサ１３８は熱媒体間熱交換器８１，８２の凝縮圧力が検知できる位置であればよい。温度センサ１３１は四方弁８３と熱媒体間熱交換器８１との間に設置され、温度センサ１３２は熱媒体間熱交換器８１と膨張弁８５との間に設置され、温度センサ１３３は四方弁８４と熱媒体間熱交換器８２との間に設置され、温度センサ１３４は熱媒体間熱交換器８２と膨張弁８６との間に設置され、それぞれ冷媒の温度を検知する。
【０１１３】  温度センサ１３５は熱媒体配管１１５に設置され、熱媒体間熱交換器８１から流出する熱媒体の温度を検知する。温度センサ１３６は熱媒体配管１１６に設置され、熱媒体間熱交換器８２から流出する熱媒体の温度を検知する。温度センサ１３７は熱媒体配管１１２に設置され、間接式室内ユニットとなる各室内ユニット２から流出する熱媒体の温度を検知する。
【０１１４】＜運転モード＞  続いて、各運転モードにおける空気調和装置の動作について、冷媒及び熱媒体の流れに基づいて説明する。ただし、中継機３と直膨式の室内ユニット２の動作は、実施の形態１と同じであるため、熱媒体中継機８と、間接式の室内ユニット２のみの動作について説明する。熱媒体中継機８と間接式の室内ユニット２の運転モードとして、室内ユニット２がすべて暖房運転である温水モード、すべて冷房運転である冷水モード、冷暖房運転が混在する冷温水混在モードを説明する。
【０１１５】（温水モード）  室内ユニット２ｅ，２ｆ，２ｇ，２ｈの運転モードがすべて暖房運転である温水モードについて、図８を用いて説明する。冷媒の流れは、図の実線の矢印、熱媒体の流れは、図の一点鎖線の矢印で示す。このとき、四方弁８３は高圧ガス管６６と熱媒体間熱交換器８１を配管接続するようにする。四方弁８４は高圧ガス管６６と熱媒体間熱交換器８２を配管接続するようにする。三方弁９３は、熱媒体配管１１５を流れる熱媒体と、熱媒体配管１１６を流れる熱媒体が、混合して熱媒体配管１１１に流れるように中間開度にする。三方弁９４は、熱媒体配管１１２を流れる熱媒体が、熱媒体配管１１３と熱媒体配管１１４に分流するように中間開度にする。
【０１１６】  まず、冷凍サイクルにおける冷媒の流れについて説明する。高圧ガス管を通って熱媒体中継機８に流入したガス冷媒は、四方弁８３，８４を通って熱媒体間熱交換器８１，８２に流入する。熱媒体間熱交換器８１，８２は冷媒に対して凝縮器として機能するため、熱媒体間熱交換器８１，８２を通過する冷媒は、熱交換対象となる熱媒体を加熱して液化する（熱媒体に放熱する）。熱媒体間熱交換器８１，８２を流出した液冷媒は、膨張弁８５，８６により中間圧まで減圧されて中間圧の液冷媒となる。液冷媒は、液管６７において合流して熱媒体中継機８を流出して、中継機３の液管６４に戻る。
【０１１７】  次に、熱媒体循環回路における熱媒体の流れについて説明する。熱媒体間熱交換器８１，８２において熱媒体は冷媒との熱交換により加熱される。熱媒体間熱交換器８１において加熱された熱媒体は熱媒体配管１１５に送り出され、熱媒体間熱交換器８２において加熱された熱媒体は熱媒体配管１１６に送り出される。三方弁９３は、中間開度となっているため、熱媒体配管１１５から流れる熱媒体と熱媒体配管１１６から流れる熱媒体をおよそ半分ずつの比率で混合して、熱媒体は熱媒体配管１１１に流れ、熱媒体中継機８を流出する。室内ユニット２に流入した熱媒体は、室内熱交換器３１において、ファン（図示せず）によって搬送される空気と熱交換し、空気を加熱して熱媒体の温度が低下する（空気に放熱する）。これによって、室内ユニット２は暖房を行う。
【０１１８】  室内ユニット２を出た熱媒体は、熱媒体配管１１２を通って熱媒体中継機８に流入する。流入した熱媒体は、流量調整弁９５を通って、三方弁９４において熱媒体配管１１３と熱媒体配管１１４に分配される。熱媒体配管１１３に流れる熱媒体は、ポンプ９１に加圧されて再び熱媒体間熱交換器８１に戻る。熱媒体配管１１４に流れる熱媒体は、ポンプ９２に加圧されて再び熱媒体間熱交換器８２に戻る。
【０１１９】（冷水モード）  室内ユニット２ｅ，２ｆ，２ｇ，２ｈの運転モードがすべて冷房運転である冷水モードについて、図８を用いて説明する。冷媒の流れは、図の破線の矢印、熱媒体の流れは、図の一点鎖線の矢印で示す。このとき、四方弁８３は低圧管６８と熱媒体間熱交換器８１を配管接続するようにする。四方弁８４は低圧管６８と熱媒体間熱交換器８２を配管接続するようにする。三方弁９３は、熱媒体配管１１５を流れる熱媒体と、熱媒体配管１１６を流れる熱媒体が、混合して熱媒体配管１１１に流れるように中間開度にする。三方弁９４は、熱媒体配管１１２を流れる熱媒体が、熱媒体配管１１３と熱媒体配管１１４に分流するように中間開度にする。
【０１２０】  まず、冷凍サイクルにおける冷媒の流れについて説明する。液管６７を通って熱媒体中継機８に流入した中間圧の冷媒は、内部熱交換器８８を通って、膨張弁８５，８６により減圧され、低温低圧の気液二相冷媒となる。低温低圧の冷媒は熱媒体間熱交換器８１，８２に流入する。熱媒体間熱交換器８１，８２は冷媒に対して蒸発器として機能するため、熱媒体間熱交換器８１，８２を通過する冷媒は、熱交換対象となる熱媒体を冷却して（熱媒体から吸熱する）、ガス冷媒となり流出する。流出した冷媒は、四方弁８３，８４を通って低圧管６８において合流し、熱媒体中継機８を流出する。流出した冷媒は、中継機３の低圧管７に流れる。
【０１２１】  また、このサイクルのときは、液管６７を流れる冷媒の一部がバイパス配管６９へ流入し、膨張弁８７で減圧されて、内部熱交換器８８において、液管６７から膨張弁８５，８６へ流入する冷媒との間で熱交換が行われる。内部熱交換器８８における熱交換により蒸発した冷媒は、熱媒体間熱交換器８１，８２において蒸発した冷媒と低圧管６８で合流し、中継機３へ戻る。一方、内部熱交換器８８における熱交換により冷却され過冷却度を十分につけられた冷媒は、膨張弁８５，８６を経由して、熱媒体間熱交換器８１，８２に流入する。
【０１２２】  次に、熱媒体循環回路における熱媒体の流れについて説明する。熱媒体間熱交換器８１，８２において熱媒体は冷媒との熱交換により冷却される。熱媒体間熱交換器８１において冷却された熱媒体は熱媒体配管１１５に送り出され、熱媒体間熱交換器８２において冷却された熱媒体は熱媒体配管１１６に送り出される。三方弁９３は、中間開度となっているため、熱媒体配管１１５から流れる熱媒体と熱媒体配管１１６から流れる熱媒体をおよそ半分ずつの比率で混合して、熱媒体は熱媒体配管１１１に流れ、熱媒体中継機８を流出する。室内ユニット２に流入した熱媒体は、室内熱交換器３１において、ファン（図示せず）によって搬送される空気と熱交換し、空気を冷却して熱媒体の温度が上昇する（空気から吸熱する）。これによって、室内ユニット２は冷房を行う。
【０１２３】  室内ユニット２を出た熱媒体は、熱媒体配管１１２を通って熱媒体中継機８に流入する。流入した熱媒体は、流量調整弁９５を通って、三方弁９４において熱媒体配管１１３と熱媒体配管１１４に分配される。熱媒体配管１１３に流れる熱媒体は、ポンプ９１に加圧されて再び熱媒体間熱交換器８１に戻る。熱媒体配管１１４に流れる熱媒体は、ポンプ９２に加圧されて再び熱媒体間熱交換器８２に戻る。
【０１２４】  以上のように、熱媒体中継機８は、温水モードと冷水モードにおいて、熱媒体間熱交換器８１，８２の冷媒配管を並列に接続している。
【０１２５】（冷温水混在モード）  室内ユニット２ｅ，２ｆ，２ｇ，２ｈの運転モードが暖房運転と冷房運転が混在する冷温水混在モードについて、図１０を用いて説明する。図１０は、本実施の形態２に係る空気調和装置の冷温水混在モードを示す冷媒回路図である。なお、冷媒の流れは、実線矢印、熱媒体の流れは、破線矢印で示す。例えば、室内ユニット２ｅ，２ｆが暖房運転を行い、室内ユニット２ｇ，２ｈが冷房運転を行う場合について説明する。
【０１２６】  このとき、四方弁８３は低圧管６８と熱媒体間熱交換器８１を配管接続するようにする。四方弁８４は高圧ガス管６６と熱媒体間熱交換器８２を配管接続するようにする。三方弁９３ｅ，９３ｆは、熱媒体配管１１６を流れる熱媒体が熱媒体配管１１１ｅ，１１１ｆに流れるようにする。三方弁９３ｇ，９３ｈは、熱媒体配管１１５を流れる熱媒体が熱媒体配管１１１ｇ，１１１ｈに流れるようにする。三方弁９４ｅ，９４ｆは、熱媒体配管１１２ｅ，１１２ｆを流れる熱媒体が熱媒体配管１１４を流れるようにする。三方弁９４ｇ，９４ｈは、熱媒体配管１１２ｇ，１１２ｈを流れる熱媒体が熱媒体配管１１３を流れるようにする。
【０１２７】  まず、冷凍サイクルにおける冷媒の流れについて説明する。高圧ガス管６６を通って熱媒体中継機８に流入したガス冷媒は、四方弁８４を通って熱媒体間熱交換器８２に流入する。熱媒体間熱交換器８２において凝縮して流出した液冷媒は、膨張弁８６により中間圧まで減圧され、そのすべてまたは一部は、膨張弁８５により減圧され、低温低圧の気液二相冷媒となる。低温低圧の冷媒は熱媒体間熱交換器８１に流入する。熱媒体間熱交換器８１において蒸発して流出した冷媒は、四方弁８３、低圧管６８を通って、熱媒体中継機８を流出する。流出した冷媒は、中継機３の低圧管７に流れる。
【０１２８】  ここで、液管６７の中間圧の液冷媒の流れは、熱媒体中継機８において暖房負荷が冷房負荷に対して大きい場合と、暖房負荷が冷房負荷に対して小さい場合により変化する。まず、暖房負荷が冷房負荷に対して大きい場合、熱媒体間熱交換器８２において凝縮に係る冷媒流量に対して、熱媒体間熱交換器８１において蒸発に係る冷媒流量が少なくなる。よって、膨張弁８６で減圧された中間圧の液冷媒の一部は、液管６７を通って中継機３に戻る。一方で、暖房負荷が冷房負荷に対して小さい場合、熱媒体間熱交換器８２において凝縮に係る冷媒流量に対して、熱媒体間熱交換器８１において蒸発に係る冷媒流量が多くなる。よって、膨張弁８６で減圧された中間圧の液冷媒に加えて、液管６７から熱媒体中継機８に流入する液冷媒が膨張弁８５に流入することになる。
【０１２９】  次に、熱媒体循環回路における熱媒体の流れについて説明する。暖房運転に係る熱媒体は、熱媒体間熱交換器８２において熱媒体は冷媒との熱交換により加熱される。熱媒体間熱交換器８２において加熱された熱媒体は熱媒体配管１１６に送り出される。熱媒体配管１１６を流れる熱媒体は、三方弁９３ｅ，９３ｆを通過して熱媒体配管１１１ｅ，１１１ｆを流れ、熱媒体中継機８を流出する。室内ユニット２ｅ，２ｆに流入した熱媒体は、室内熱交換器３１ｅ，３１ｆにおいて、暖房する。
【０１３０】  室内ユニット２ｅ，２ｆを出た熱媒体は、熱媒体配管１１２ｅ，１１２ｆを通って熱媒体中継機８に流入する。流入した熱媒体は、流量調整弁９５ｅ，９５ｆ、三方弁９４ｅ，９４ｆを通り、熱媒体配管１１４に流入する。熱媒体配管１１４に流れる熱媒体は、ポンプ９２に加圧されて再び熱媒体間熱交換器８２に戻る。
【０１３１】  冷房運転に係る熱媒体は、熱媒体間熱交換器８１において熱媒体は冷媒との熱交換により冷却される。熱媒体間熱交換器８１において冷却された熱媒体は熱媒体配管１１５に送り出される。熱媒体配管１１５を流れる熱媒体は、三方弁９３ｇ，９３ｈを通過して熱媒体配管１１１ｇ，１１１ｈを流れ、熱媒体中継機８を流出する。室内ユニット２ｇ，２ｈに流入した熱媒体は、室内熱交換器３１ｇ，３１ｈにおいて、冷房する。
【０１３２】  室内ユニット２ｇ，２ｈを出た熱媒体は、熱媒体配管１１２ｇ，１１２ｈを通って熱媒体中継機８に流入する。流入した熱媒体は、流量調整弁９５ｇ，９５ｈ、三方弁９４ｇ，９４ｈを通り、熱媒体配管１１３に流入する。熱媒体配管１１３に流れる熱媒体は、ポンプ９１に加圧されて再び熱媒体間熱交換器８１に戻る。
【０１３３】  以上より、熱媒体中継機８と間接式の室内ユニット２の運転モードについて説明したが、空気調和装置全体の運転モードは、実施の形態１において示したように、室内ユニット２ａ，２ｂ，２ｃ，２ｄ，２ｅ，２ｆ，２ｇ，２ｈ全体の、暖房と冷房の負荷のバランスにより、全暖房運転、全冷房運転、暖房主体運転、冷房主体運転が設定される。
【０１３４】＜冷凍サイクル（冷媒経路）のアクチュエータ制御＞  膨張弁８５，８６は、熱媒体中継機コントローラ２０７からの指令により開度が制御される。具体的には、暖房運転時は熱媒体間熱交換器８１，８２の過冷却度を目標値にして開度を制御し、熱媒体間熱交換器８１，８２に流入する冷媒流量を調整する。過冷却度の算出方法は次の通りである。圧力センサ１３８が検知する凝縮圧力を、熱媒体中継機コントローラ２０７において飽和温度である凝縮温度に換算する。熱媒体中継機コントローラ２０７は、凝縮温度と、温度センサ１３２，１３４が検知する冷媒の液側温度の差から、過冷却度を算出する。
【０１３５】  冷房運転時は熱媒体間熱交換器８１，８２の過熱度を目標値にして開度を制御し、熱媒体間熱交換器８１，８２に流入する冷媒流量を調整する。過熱度は、熱媒体中継機コントローラ２０７において、温度センサ１３１，１３３が検知する冷媒のガス側温度と、温度センサ１３２，１３４が検知する冷媒の液側温度の差から算出する。
【０１３６】＜熱媒体経路のアクチュエータ制御＞  流量調整弁９５は、熱媒体中継機コントローラ２０７からの指令により開度が制御される。具体的には、室内熱交換器３１の熱媒体出入口温度差を目標値にして開度が制御され、室内熱交換器３１に流入する熱媒体流量を調整する。室内熱交換器３１の入口温度は、温水モードと冷水モードでは、温度センサ１３５と温度センサ１３６の検知する熱媒体温度の平均値とする。
【０１３７】  冷温水混在モードの際は、暖房運転する室内ユニット２と配管接続する流量調整弁９５に対しては、温度センサ１３６の検知する熱媒体温度を用いて、冷房運転する室内ユニット２と配管接続する流量調整弁９５に対しては、温度センサ１３５の検知する熱媒体温度を用いる。室内熱交換器３１の出口温度は、温度センサ１３７の検知する熱媒体温度を用いて、入口温度と出口温度の差から、熱媒体出入口温度差を算出する。熱媒体出入口温度差は、およそ５〜７度（℃）程度とするのがよい。
【０１３８】  ポンプ９１，９２は、熱媒体中継機コントローラ２０７の指令により回転数が制御される。具体的には、冷温水混在モードのとき、ポンプ９２は、暖房運転を行っている室内ユニット２と配管接続する流量調整弁９５のうち、最も開度が大きい流量調整弁９５の開度が最大になるように、回転数が調整される。例えば、室内ユニット２ｅ，２ｆが暖房運転を行って、流量調整弁９５ｅの開度が開度最大値１００％に対して７０％、流量調整弁９５ｆの開度が５０％であるとき、熱媒体中継機コントローラ２０７は熱媒体の全体の循環量が過剰と判断して流量調整弁９５ｅの開度を安定開度、すなわちポンプ９２の回転数制御を行わない範囲に近づくようにポンプ９２の回転数を小さくする。このとき、流量調整弁９５ｅの安定開度はおよそ９０〜９５％程度とするのが望ましい。
【０１３９】  また、流量調整弁９５ｅの開度が安定開度を超えて、例えば１００％になった場合、熱媒体中継機コントローラ２０７は熱媒体の全体の循環量が不足と判断して流量調整弁９５ｅの開度を安定開度に近づくようにポンプ９２の回転数を大きくする。
【０１４０】  冷房運転を行っている室内ユニット２に対してもポンプ９１は同様に制御が実施される。温水モード、冷水モードの場合、ポンプ９１，９２は同一回転数に設定し、同様の制御を実施する。
【０１４１】  このように、流量調整弁９５の開度が最大となるようにポンプ９１，９２の回転数を制御することで、熱媒体の搬送動力を小さくすることができる。停止している室内ユニット２に対しては、流量調整弁９５は熱媒体が流れないような開度とする。
【０１４２】＜冷温水混在モードの熱媒体間熱交換器の能力増大制御方法＞  本実施の形態２に係る空気調和装置では、熱媒体間熱交換器８１と８２は、両方合わせて間接式室内ユニット２の合計の定格の暖房能力が発揮できるように、伝熱面積が設計されている。例えば、凝縮温度が５０度（℃）程度のとき、室内熱交換器３１の熱媒体入口温度が４５度（℃）程度となり、このとき室内ユニット２では定格の暖房能力が発揮できる。
【０１４３】  冷温水混在モードになると、凝縮器として機能する熱媒体間熱交換器８２の伝熱面積は、温水モードのときに熱媒体間熱交換器８１，８２が両方凝縮器となる場合に比べて、およそ半分となる。すなわち、冷温水混在モードになると、熱媒体間熱交換器の一部が蒸発器となるため、凝縮器として作用する熱媒体間熱交換器の伝熱面積が減少することになる。
【０１４４】  そのため、冷温水混在モードにおいて、暖房運転する室内ユニット２の台数が多い場合など、暖房負荷が大きいと、暖房負荷に対して熱媒体間熱交換器８２の伝熱面積が小さい状態となる。例えば、間接式室内ユニット２が定格暖房容量の８０％運転しているのに、熱媒体間熱交換器８２の伝熱面積が５０％しかないことになってしまう。こうなると、室内熱交換器３１の熱媒体入口温度が低くなり、室内ユニット２の暖房能力が小さくなってしまう。
【０１４５】  また、暖房に係る熱媒体を送出するポンプ９２の熱媒体送出流量は、ポンプ９１，９２が暖房に係る熱媒体を送出する場合と比べて、およそ半分となる。つまり、ポンプも定格に対して台数が減少してしまうことになってしまう。そのため、冷温水混在モードにおいて、暖房運転する室内ユニット２の台数が多い場合など、暖房負荷が大きいと、暖房負荷に対してポンプの送水量が小さい状態となる。
【０１４６】  その結果、室内熱交換器３１の１台あたりの熱媒体流量が低下することになり、室内熱交換器３１の伝熱性が低下して、暖房能力が小さくなってしまう。ところが、冷温水混在モードにおいて、暖房負荷が十分に大きい場合に備えて、熱媒体間熱交換器８１，８２、ポンプ９１，９２の大きさや台数を変更することは、機器の大型化をもたらすだけでなく、高価となり経済的でない。
【０１４７】  また、例えば間接式の室内ユニット２において暖房負荷が十分に大きい場合であっても、空気調和装置全体で見て直膨式の室内ユニット２の冷房負荷の方が大きければ、空気調和装置は冷房主体運転で運転される。このとき、間接式の室内ユニット２の暖房能力を増大させるために、空気調和装置を暖房主体運転にすることは困難である。
【０１４８】  そこで、本実施の形態２では、熱媒体中継機８と間接式の室内ユニット２が冷温水混在モードのとき、熱媒体間熱交換器８１または熱媒体間熱交換器８２に対して、能力増大制御を実施している。ここで、熱媒体間熱交換器８１または熱媒体間熱交換器８２が第１の利用側熱交換器に相当する。直膨式の室内熱交換器３１ａ，３１ｂ，３１ｃ，３１ｄが第２の利用側熱交換器に相当する。具体的な制御について、図１１のフローチャートで説明する。
【０１４９】  図１１は、本発明の実施の形態２に係る空気調和装置の能力増大制御を示すフローチャートである。  熱媒体中継機８と間接式の室内ユニット２が冷温水混在モードのとき、熱媒体中継機８の操作部２０８より暖房能力増大要求が熱媒体中継機コントローラ２０７に送られると、熱媒体中継機コントローラ２０７は能力優先を室外コントローラ２０２に送信する。室外コントローラ２０２は、能力優先を受信すると、図１１のフローを開始して、空気調和装置の運転モードを能力優先モードに設定する（ステップＳ３０１）。
【０１５０】  ステップＳ３０２において、室外コントローラ２０２は、凝縮温度目標値ＴｃｍをΔＴｃｍだけ高くする。このとき、室外熱交換器１３は凝縮温度Ｔｃを基に熱交換容量ＡＫが制御されている。このため、熱交換容量ＡＫが熱交換容量最小値ＡＫｍｉｎより大きければ、凝縮温度目標値Ｔｃｍが高くなると熱交換容量ＡＫが小さくなる。
【０１５１】  ステップＳ３０３において、室外コントローラ２０２は、暖房能力抑制モードを中継機コントローラ２０６に送信する。中継機コントローラ２０６は、直膨式の室内ユニット２ａ，２ｂ，２ｃ，２ｄのうち、暖房運転中の室内ユニット２に能力抑制モードを送信する。能力抑制モードを受信した室内ユニット２の室内コントローラ２０３は、ステップＳ３０４において、室内熱交換器３１の過冷却度目標値ＳＣｍをΔＳＣｍだけ大きくする。このとき、膨張弁３２は、過冷却度ＳＣの演算値を基に開度Ｌが制御されているので、過冷却度目標値ＳＣｍが大きくなると開度Ｌが小さくなる。
【０１５２】  室外コントローラ２０２は、ステップＳ３０５において一定時間経過させた後、ステップＳ３０６において、室外熱交換器１３の熱交換容量ＡＫが熱交換容量最小値ＡＫｍｉｎより大きいかを判断する。熱交換容量ＡＫが熱交換容量最小値ＡＫｍｉｎより大きければ（Ｙｅｓ）、ステップＳ３０７において、室外コントローラ２０２は熱媒体中継機８に、冷媒流量増加モードを送信する。なお、ステップＳ３０６において、熱交換容量ＡＫが熱交換容量最小値ＡＫｍｉｎであれば（Ｎｏ）、フローは終了する。
【０１５３】  冷媒流量増加モードを受信した熱媒体中継機コントローラ２０７は、ステップＳ３０８において、熱媒体間熱交換器８２の過冷却度目標値ＳＣｍをΔＳＣｍだけ小さくする。このとき、膨張弁８６は、過冷却度ＳＣの演算値を基に開度Ｌが制御されているので、過冷却度目標値ＳＣｍが小さくなると開度Ｌが大きくなる。この時点で、凝縮温度目標値Ｔｃｍと過冷却度目標値ＳＣｍの値を変更するフローは終了するが、変更されたＴｃｍとＳＣｍは、熱媒体中継機８の操作部２０８から、暖房能力優先要求が取り消しされるまで維持される。
【０１５４】（暖房能力増大要求の条件）  前述のように、操作部２０８が暖房能力増大を要求するのは、熱媒体中継機８と間接式の室内ユニット２が冷温水混在モードのときである。
【０１５５】  ここで、操作部２０８が暖房能力増大を要求する条件について説明する。熱媒体間熱交換器８２の暖房能力増大が必要な条件として、運転している間接式の室内ユニット２の暖房容量が冷房容量に比べて十分大きいこと、実際に暖房負荷が大きいことが挙げられる。よって、本実施の形態２では、以下の３つの条件を判断して、操作部２０８は暖房能力増大を要求する。
【０１５６】（条件１：暖房容量と冷房容量の比）・ΣＱｈ＞ΣＱｃ＋α  ・・・（１）  ここで、ΣＱｈは暖房運転中の間接式の室内ユニット２の定格能力合計値、ΣＱｃは冷房運転中の間接式の室内ユニット２の定格能力合計値、αは尤度である。
【０１５７】（条件２：室内熱交換器３１の熱媒体入口温度）・Ｔｗｈｉｎ＜Ｔｗｈｍ−β  ・・・（２）  ここで、Ｔｗｈｉｎは暖房時の室内ユニット２の熱媒体入口温度であり、Ｔｗｈｍは暖房時の室内ユニット２の熱媒体入口温度目標値であり、βは尤度である。暖房運転中の室内ユニット２の負荷が大きい（吸込空気温度が低い）場合、Ｔｗｈｉｎが低下する。
【０１５８】（条件３：熱媒体出入口温度差、流量調整弁開度、ポンプ回転数）・「ΔＴｗｈｍａｘ＞ΔＴｗｈｍ＋γ、かつ、Ｌｍａｘ＝１００％」かつ「Ｆｐ＝１００％」  ・・・（３）  ここで、ΔＴｗｈｍａｘは暖房中の室内ユニット２（より詳しくは、当該室内ユニット２の室内熱交換器３１）の熱媒体出入口温度差のうちの最大値であり、ΔＴｗｈｍは暖房中の室内ユニット２の熱媒体出入口温度差目標値であり、γは尤度である。暖房負荷が大きい場合、熱媒体出入口温度差が大きくなる。ここで、暖房中の室内ユニット２の熱媒体出入口温度差は、温度センサ１３６が検知する温度から温度センサ１３７が検知する温度を引いたものである。
【０１５９】  また、Ｌは暖房中の室内ユニット２の流量調整弁９５の開度であり、Ｌｍａｘはそのうちの最大値である。Ｌｍａｘ＝１００％となっている場合、暖房に係る熱媒体の全体の流量が不足していることを意味する。  また、Ｆｐはポンプ９２の回転数であり、１００％となっている場合、暖房に係る熱媒体の全体の流量が不足していることを意味する。
【０１６０】  以上をまとめると、・（条件１）かつ（条件２）  ・・・（４）または、・（条件１）かつ（条件３）  ・・・（５）  を一定時間満たすとき、操作部２０８は暖房能力増大を要求するとよい。この条件を判定する際は、冷媒経路と熱媒体経路のアクチュエータが十分安定している状態が必要であり、一定時間は１０〜３０分程度とすることが望ましい。
【０１６１】＜能力増大制御の効果＞  以上のように、本実施の形態２に係る空気調和装置では、熱媒体中継機８と間接式の室内ユニット２が冷温水混在モードのとき、能力増大制御を実施することで、熱媒体間熱交換器８２の伝熱面積が小さい場合でも、凝縮温度を高くすることで、暖房運転する室内ユニット２の熱媒体入口温度を高くすることができる。よって、熱媒体間熱交換器８２の伝熱面積が小さくなることにより室内ユニット２の暖房能力が低下してしまうということを防ぐことができる。
【０１６２】  また、本実施の形態２に係る空気調和装置では、ポンプ９２の熱媒体送水量が小さい場合でも、凝縮温度を高くすることで、暖房運転する室内ユニット２の熱媒体入口温度を高くすることができる。よって、熱媒体入口温度を通常運転より高くすることで、熱媒体流量低下による室内熱交換器３１の暖房能力低下を補うことができる。
【０１６３】  その結果、本実施の形態２に係る空気調和装置によれば、熱媒体間熱交換器８２やポンプ９２を大きくしたり、台数を増加させたりする必要がなく、空気調和装置を小型化、安価にすることができる。
【０１６４】  また、本実施の形態２に係る空気調和装置では、暖房負荷が大きいときに暖房能力増大を要求するため、無駄に能力増大制御を実施することがなく、省エネ性に優れたものになる。
【０１６５】  また、本実施の形態２に係る空気調和装置では、熱媒体間熱交換器８２に対して能力増大制御を実施する際に、直膨式の室内ユニット２の能力を抑制している。直膨式の室内熱交換器３１は、前述のように冷媒が直接循環しており、凝縮温度が高くなれば暖房能力が増加する。よって、能力を抑制することで、直膨式の室内ユニット２において能力が過剰になるのを抑制できる。
【０１６６】  また、本実施の形態２に係る空気調和装置においては、冷房主体運転時に熱媒体間熱交換器８２に対して暖房能力増大制御を実施する場合について述べたが、暖房主体運転時に熱媒体間熱交換器８１に対して冷房能力を増大させる制御を実施してもよい。この場合、蒸発温度目標値ＴｅｍをΔＴｅｍだけ低くして、室外熱交換器１３の熱交換容量ＡＫを冷凍サイクルの所定の冷房能力を発揮するための熱交換容量ＡＫより小さくすればよい。また、能力優先の熱媒体間熱交換器８１に対しては、熱媒体間熱交換器８１の過熱度目標値ＳＨｍを、ΔＳＨｍだけ小さくすることで冷媒流量を大きくして、能力優先以外の直膨式の室内ユニット２の過熱度目標値ＳＨｍをΔＳＨｍだけ大きくすることで冷媒流量を小さくできる。
【０１６７】  また、冷房運転時の蒸発温度目標値Ｔｅｍについては、低下し過ぎると熱媒体間熱交換器８１において熱媒体が凍結し、熱媒体間熱交換器８１が破壊してしまう可能性があるため、Ｔｅｍは熱媒体が凍結しないような温度に設定するとよい。
【０１６８】  なお、本実施の形態１または２に係る空気調和装置では、冷房主体運転時に、室外熱交換器１３の熱交換容量ＡＫを調整することで、第１の暖房利用側熱交換器の暖房能力を増大させているが、圧縮機１１の回転数Ｆを調整して、蒸発温度を低くすることで一部の冷房利用側熱交換器（第３の利用側熱交換器に相当）の冷房能力を増大させてもよい。このとき、他の冷房利用側熱交換器の一部（第４の利用側熱交換器に相当）は、冷媒流量を小さくして冷房能力が過剰になるのを抑制する。
【０１６９】  また、本実施の形態１または２に係る空気調和装置では、暖房主体運転時に、圧縮機１１の回転数Ｆを調整して、凝縮温度を高くすることで一部の暖房利用側熱交換器（第３の利用側熱交換器に相当）の暖房能力を増大させてもよい。このとき、他の暖房利用側熱交換器の一部（第４の利用側熱交換器に相当）は、冷媒流量を小さくして暖房能力が過剰になるのを抑制する。
【０１７０】  さらに、本実施の形態１または２に係る空気調和装置では、熱源を空気とした空気調和装置について述べたが、熱源を水またはブラインとしてもよい。この場合、熱交換容量は、例えば熱源水のポンプ回転数や流量調整弁の開度による熱源水の流量調整により制御すればよい。
【０１７１】  またさらに、本実施の形態１または２に係る空気調和装置では、室内ユニット２の能力を抑制する制御を、膨張弁３２による冷媒流量制御により実施しているが、例えば室内コントローラ２０３によりファン２１０（室内ファン）の回転数を強制的に制御して、室内ユニット２の能力調整を行ってもよい。
【０１７２】  なお、上記の実施の形態１または２に係る空気調和装置では、能力を増大させる熱交換器を１台のみとしたが、能力を増大させる熱交換器の数は任意である。また、上記の実施の形態１または２に係る空気調和装置では、能力を増大させる熱交換器以外の熱交換器の全てにおいて冷媒流量を減少させていたが、能力を増大させる熱交換器以外の熱交換器の一部において冷媒流量を減少させることができれば、本発明を実施することができる。
【産業上の利用可能性】
【０１７３】  本発明の活用例として、ビル用マルチエアコンなどに用いる多室形空気調和装置に適用できる。
【符号の説明】
【０１７４】  １  室外ユニット、２  室内ユニット、２ａ  室内ユニット、２ｂ  室内ユニット、２ｃ  室内ユニット、２ｄ  室内ユニット、２ｅ  室内ユニット、２ｆ  室内ユニット、２ｇ  室内ユニット、２ｈ  室内ユニット、３  中継機、６  高圧管、７  低圧管、８  熱媒体中継機、１１  圧縮機、１２  四方弁、１３  室外熱交換器、１４  アキュムレータ、１５ａ  逆止弁、１５ｂ  逆止弁、１５ｃ  逆止弁、１５ｄ  逆止弁、１６  室外熱交換部、１７  室外熱交換部、２１  熱交換器開閉弁、２２  熱交換器開閉弁、２３  熱交換器開閉弁、２４  熱交換器開閉弁、２５  熱交換器バイパス弁、２６  逆止弁、２７  逆止弁、２８  逆止弁、２９  逆止弁、３１  室内熱交換器、３１ａ  室内熱交換器、３１ｂ  室内熱交換器、３１ｃ  室内熱交換器、３１ｄ  室内熱交換器、３１ｅ  室内熱交換器、３１ｆ  室内熱交換器、３１ｇ  室内熱交換器、３１ｈ  室内熱交換器、３２  膨張弁、３２ａ  膨張弁、３２ｃ  膨張弁、３２ｂ  膨張弁、３２ｄ  膨張弁、４１  ガス枝管、４１ａ  ガス枝管、４１ｂ  ガス枝管、４１ｃ  ガス枝管、４１ｄ  ガス枝管、４２  液枝管、４２ａ  液枝管、４２ｂ  液枝管、４２ｃ  液枝管、４２ｄ  液枝管、５１  気液分離器、５２  内部熱交換器、５３  内部熱交換器、５４  膨張弁、５５  膨張弁、５６  電磁弁、５６  電磁弁、５６ａ  電磁弁、５６ｂ  電磁弁、５６ｃ  電磁弁、５６ｄ  電磁弁、５７  電磁弁、５７ａ  電磁弁、５７ｂ  電磁弁、５７ｃ  電磁弁、５７ｄ  電磁弁、５８  逆止弁、５８ａ  逆止弁、５８ｂ  逆止弁、５８ｃ  逆止弁、５８ｄ  逆止弁、５９  逆止弁、５９ａ  逆止弁、５９ｂ  逆止弁、５９ｃ  逆止弁、５９ｄ  逆止弁、６１  高圧ガス管、６２  液管、６３  液管、６４  液管、６５  バイパス配管、６６  高圧ガス管、６７  液管、６８  低圧管、６９  バイパス配管、７１  圧力センサ、７２  圧力センサ、７３  温度センサ、７３ａ  温度センサ、７３ｂ  温度センサ、７３ｃ  温度センサ、７３ｄ  温度センサ、７４  温度センサ、７４ａ  温度センサ、７４ｂ  温度センサ、７４ｃ  温度センサ、７４ｄ  温度センサ、７５  温度センサ、７５ａ  温度センサ、７５ｂ  温度センサ、７５ｃ  温度センサ、７５ｄ  温度センサ、７６  圧力センサ、７７  圧力センサ、８１  熱媒体間熱交換器、８２  熱媒体間熱交換器、８３  四方弁、８４  四方弁、８５  膨張弁、８６  膨張弁、８７  膨張弁、８８  内部熱交換器、９１  ポンプ、９２  ポンプ、９３  三方弁、９３ｅ  三方弁、９３ｆ  三方弁、９３ｇ  三方弁、９３ｈ  三方弁、９４  三方弁、９４ｅ  三方弁、９４ｆ  三方弁、９４ｇ  三方弁、９４ｈ  三方弁、９５  流量調整弁、９５ｅ  流量調整弁、９５ｆ  流量調整弁、９５ｇ  流量調整弁、９５ｈ  流量調整弁、１０１  ファン、１１１  熱媒体配管、１１２  熱媒体配管、１１１ｅ  熱媒体配管、１１１ｆ  熱媒体配管、１１１ｇ  熱媒体配管、１１１ｈ  熱媒体配管、１１２  熱媒体配管、１１２ｅ  熱媒体配管、１１２ｆ  熱媒体配管、１１２ｇ  熱媒体配管、１１２ｈ  熱媒体配管、１１３  熱媒体配管、１１４  熱媒体配管、１１５  熱媒体配管、１１６  熱媒体配管、１３１  温度センサ、１３２  温度センサ、１３３  温度センサ、１３４  温度センサ、１３５  温度センサ、１３６  温度センサ、１３７  温度センサ、１３８  圧力センサ、２０１  インバータ回路、２０２  室外コントローラ、２０３  室内コントローラ、２０３ａ  室内コントローラ、２０３ｂ  室内コントローラ、２０３ｃ  室内コントローラ、２０３ｄ  室内コントローラ、２０３ｅ  室内コントローラ、２０３ｆ  室内コントローラ、２０３ｇ  室内コントローラ、２０３ｈ  室内コントローラ、２０４  操作部、２０４ａ  操作部、２０４ｂ  操作部、２０５  弁駆動回路、２０６  中継機コントローラ、２０７  熱媒体中継機コントローラ、２０８  操作部、２０９  弁駆動回路、２１０  ポンプ駆動回路。
【図１】
0005984914.tif 000002
【図２】
0005984914.tif 000003
【図３】
0005984914.tif 000004
【図４】
0005984914.tif 000005
【図５】
0005984914.tif 000006
【図６】
0005984914.tif 000007
【図７】
0005984914.tif 000008
【図８】
0005984914.tif 000009
【図９】
0005984914.tif 000010
【図１０】
0005984914.tif 000011
【図１１】
0005984914.tif 000012